(57)【要約】  光ディスク（１２０）は、トラックの中心に配置された第１のマーク（１３１）と、トラックの中心からトラッキング方向へ所定距離ｂ１だけ離れ、第１のマーク（１３１）からトラックに沿った方向へ所定距離Ｌ１だけ離れて配置された第２のマーク（１３２）と、トラックの中心から第２のマーク（１３２）とは反対側のトラッキング方向へ所定距離ｂ２だけ離れ、第１のマーク（１３１）からトラックに沿った方向へ所定距離Ｌ２だけ離れて配置された第３のマーク（１３３）とを備え、第２のマーク（１３２）及び第３のマーク（１３３）は、光情報装置に設けられた散乱体（１０３）に光が照射されることにより、散乱体（１０３）と各マークとの距離に応じた散乱光を発生させ、所定距離ｂ１及びｂ２は５０ｎｍより小さい。
2012140867.tif 000002
【特許請求の範囲】
【請求項１】
トラックの中心に配置された第１のマークと、
前記トラックの中心からトラッキング方向へ所定距離ｂ１だけ離れ、前記第１のマークから前記トラックに沿った方向へ所定距離Ｌ１だけ離れて配置された第２のマークと、
前記トラックの中心から前記第２のマークとは反対側のトラッキング方向へ所定距離ｂ２だけ離れ、前記第１のマークから前記トラックに沿った方向へ所定距離Ｌ２だけ離れて配置された第３のマークとを備え、
前記第２のマーク及び前記第３のマークは、光情報装置に設けられた散乱体に光が照射されることにより、前記散乱体と各マークとの距離に応じた散乱光を発生させ、
前記所定距離ｂ１及び前記所定距離ｂ２は、５０ｎｍより小さく、
前記所定距離Ｌ１と前記所定距離Ｌ２との差は、前記第１のマークの前記トラックに沿った方向の長さと前記第２のマークの前記トラックに沿った方向の長さとの和より大きいことを特徴とする情報記録媒体。
【請求項２】
トラックの中心に配置された第１のマークと、
前記トラックの中心からトラッキング方向へ所定距離Δだけ離れた位置にエッジを有するように配置された第２のマークと、
前記トラックの中心から前記第２のマークとは反対側のトラッキング方向へ前記所定距離Δだけ離れた位置にエッジを有するように配置された第３のマークとを備え、
前記第２のマーク及び前記第３のマークのトラッキング方向の幅は、トラック間隔より大きく、
前記第２のマーク及び前記第３のマークは、光情報装置に設けられた散乱体に光が照射されることにより、前記散乱体と各マークのエッジとの距離に応じた散乱光を発生させ、
前記所定距離Δは、５０ｎｍより小さいことを特徴とする情報記録媒体。
【請求項３】
前記第２のマーク及び前記第３のマークは、前記第１のマークからの距離に応じて複数のグループに分類され、
同一グループに属する前記第２のマーク及び前記第３のマークは、所定の周期で繰り返し配置されることを特徴とする請求項２記載の情報記録媒体。
【請求項４】
自己組織化法により作製され、情報を記録するための記録マークをさらに備えることを特徴とする請求項２又は３記載の情報記録媒体。
【請求項５】
前記第２のマーク又は前記第３のマークは、前記記録マークが前記自己組織化法により作製される際に前記記録マークをガイドし、前記記録マークの配列を規制することを特徴とする請求項２〜４のいずれかに記載の情報記録媒体。
【請求項６】
トラックの中心に配置され、自己組織化法により作製され、情報を記録するための記録マークと、
前記記録マークが前記自己組織化法により作製される際に前記記録マークが所定の位置に配列されるように規制するガイドマークとを備え、
前記ガイドマークは、前記記録マークが配置されるデータ領域側に自己組織化の配列を規制するための第１の屈曲部と、前記データ領域側とは反対側に前記第１の屈曲部と対になる第２の屈曲部とを有し、
前記第１の屈曲部は、前記トラックの中心からトラッキング方向へ所定距離Δだけ離れた位置に配置され、
前記第２の屈曲部は、前記トラック中心から前記第１の屈曲部とは反対側のトラッキング方向へ前記所定距離Δだけ離れた位置に配置され、
前記第１の屈曲部及び前記第２の屈曲部は、光情報装置に設けられた散乱体に光が照射されることにより、前記散乱体と各屈曲部との距離に応じた散乱光を発生させ、
前記所定距離Δは、５０ｎｍより小さいことを特徴とする情報記録媒体。
【請求項７】
前記ガイドマークは、第１のガイドマークと、トラックに沿った方向に前記第１のガイドマークに並列に配置される第２のガイドマークとを含み、
前記第１のガイドマークが有する前記第１の屈曲部と、前記第２のガイドマークが有する前記第１の屈曲部とは、トラック間隔だけ離れており、
前記第１のガイドマークが有する前記第２の屈曲部と、前記第２のガイドマークが有する前記第２の屈曲部とは、トラック間隔だけ離れていることを特徴とする請求項６の情報記録媒体。
【請求項８】
トラックの中心に配置された第１のマークと、
前記トラックの中心からトラッキング方向へ所定距離ｂ１だけ離れ、前記トラックに沿った方向へ所定の間隔で配置された複数の第２のマークと、
前記トラックの中心から前記複数の第２のマークとは反対側のトラッキング方向へ所定距離ｂ２だけ離れ、前記トラックに沿った方向へ前記複数の第２のマークと同じ間隔で配置された複数の第３のマークとを備え、
前記複数の第２のマーク及び前記複数の第３のマークは、光情報装置に設けられた散乱体に光が照射されることにより、前記散乱体と各マークとの距離に応じた散乱光を発生させ、
前記所定距離ｂ１及び前記所定距離ｂ２は、５０ｎｍより小さいことを特徴とする情報記録媒体。
【請求項９】
前記散乱体は、金属で形成されることを特徴とする請求項１〜８のいずれかに記載の情報記録媒体。
【請求項１０】
前記散乱体の形状は、球形状を含むことを特徴とする請求項１〜９のいずれかに記載の情報記録媒体。
【請求項１１】
前記散乱体の形状は、円柱形状を含むことを特徴とする請求項１〜９のいずれかに記載の情報記録媒体。
【請求項１２】
前記散乱体の形状は、三角錐形状を含むことを特徴とする請求項１〜９のいずれかに記載の情報記録媒体。
【請求項１３】
前記散乱体の形状は、三角柱形状を含むことを特徴とする請求項１〜９のいずれかに記載の情報記録媒体。
【請求項１４】
前記散乱体の形状は、円錐形状を含むことを特徴とする請求項１〜９のいずれかに記載の情報記録媒体。
【請求項１５】
前記第１のマーク、前記第２のマーク及び前記第３のマークは、金属層を含むことを特徴とする請求項１記載の情報記録媒体。
【請求項１６】
前記第１のマーク、前記第２のマーク及び前記第３のマークの形状は、半球形状又は半長球形状を含むことを特徴とする請求項１記載の情報記録媒体。
【請求項１７】
前記第１のマーク、前記第２のマーク及び前記第３のマークの形状は、円柱形状又は長円柱形状を含むことを特徴とする請求項１に記載の情報記録媒体。
【請求項１８】
情報記録媒体に情報を記録又は再生する光情報装置におけるトラッキング方法であって、
前記情報記録媒体は、
トラックの中心に配置された第１のマークと、
前記トラックの中心からトラッキング方向へ所定距離ｂ１だけ離れ、前記第１のマークから前記トラックに沿った方向へ所定距離Ｌ１だけ離れて配置された第２のマークと、
前記トラックの中心から前記第２のマークとは反対側のトラッキング方向へ所定距離ｂ２だけ離れ、前記第１のマークから前記トラックに沿った方向へ所定距離Ｌ２だけ離れて配置された第３のマークとを備え、
前記第２のマーク及び前記第３のマークは、光情報装置に設けられた散乱体に光が照射されることにより、前記散乱体と各マークとの距離に応じた散乱光を発生させ、
前記所定距離ｂ１及び前記所定距離ｂ２は、５０ｎｍより小さく、
前記所定距離Ｌ１と前記所定距離Ｌ２との差は、前記第１のマークの前記トラックに沿った方向の長さと前記第２のマークの前記トラックに沿った方向の長さとの和より大きく、
前記トラッキング方法は、
前記散乱体を前記トラックに沿った方向へ所定の相対速度ｖで移動させる移動ステップと、
前記散乱体が前記第１のマークを通過したことを検出する検出ステップと、
前記検出ステップにおいて前記散乱体が前記第１のマークを通過したことが検出されてから、前記散乱体が前記第２のマークを通過するまでの第１の時刻ｔ１＝Ｌ１／ｖにおいて前記散乱体と前記第２のマークとの距離に応じて検出される信号の値を第１の信号値として保持する第１の保持ステップと、
前記検出ステップにおいて前記散乱体が前記第１のマークを通過したことが検出されてから、前記散乱体が前記第３のマークを通過するまでの第２の時刻ｔ２＝Ｌ２／ｖにおいて前記散乱体と前記第３のマークとの距離に応じて検出される信号の値を第２の信号値として保持する第２の保持ステップと、
前記第１の信号値と前記第２の信号値との差をトラッキング信号として算出するトラッキング信号算出ステップとを含むことを特徴とするトラッキング方法。
【請求項１９】
情報記録媒体に情報を記録又は再生する光情報装置であって、
前記情報記録媒体は、
トラックの中心に配置された第１のマークと、
前記トラックの中心からトラッキング方向へ所定距離ｂ１だけ離れ、前記第１のマークから前記トラックに沿った方向へ所定距離Ｌ１だけ離れて配置された第２のマークと、
前記トラックの中心から前記第２のマークとは反対側のトラッキング方向へ所定距離ｂ２だけ離れ、前記第１のマークから前記トラックに沿った方向へ所定距離Ｌ２だけ離れて配置された第３のマークとを備え、
前記第２のマーク及び前記第３のマークは、光情報装置に設けられた散乱体に光が照射されることにより、前記散乱体と各マークとの距離に応じた散乱光を発生させ、
前記所定距離ｂ１及び前記所定距離ｂ２は、５０ｎｍより小さく、
前記所定距離Ｌ１と前記所定距離Ｌ２との差は、前記第１のマークの前記トラックに沿った方向の長さと前記第２のマークの前記トラックに沿った方向の長さとの和より大きく、
前記光情報装置は、
前記散乱体を前記トラックに沿った方向へ所定の相対速度ｖで移動させる移動部と、
前記散乱体が前記第１のマークを通過したことを検出する検出部と、
前記検出部によって前記散乱体が前記第１のマークを通過したことが検出されてから、前記散乱体が前記第２のマークを通過するまでの第１の時刻ｔ１＝Ｌ１／ｖにおいて前記散乱体と前記第２のマークとの距離に応じて検出される信号の値を第１の信号値として保持する第１の保持部と、
前記検出部によって前記散乱体が前記第１のマークを通過したことが検出されてから、前記散乱体が前記第３のマークを通過するまでの第２の時刻ｔ２＝Ｌ２／ｖにおいて前記散乱体と前記第３のマークとの距離に応じて検出される信号の値を第２の信号値として保持する第２の保持部と、
前記第１の信号値と前記第２の信号値との差をトラッキング信号として算出するトラッキング信号算出部とを備えることを特徴とする光情報装置。
【発明の詳細な説明】
【技術分野】
【０００１】
本発明は、トラックを有する情報記録媒体、情報記録媒体にトラッキングするためのトラッキング方法、及び情報記録媒体に情報を記録又は再生する光情報装置に関し、特に光の波長より微細な構造の散乱体等を用いて光の回折限界よりも狭いトラック間隔を有するトラックへのトラッキングを実現するための情報記録媒体、トラッキング方法及び光情報装置に関するものである。
【背景技術】
【０００２】
従来、光ビームをレンズで集光することにより形成された回折限界の光スポットを用いて情報が記録又は再生される情報記録媒体として、プリウォブリングされたピットを有する光ディスクがあった（例えば、特許文献１参照）。図４０は、特許文献１に記載された従来の情報記録媒体のプリウォブリングされたピットの一例を示す図である。【０００３】
図４０において、ピット９０１は、グルーブ９０２上、及び、隣接するグルーブ９０２の間のギャップ部にウォブリングされて配置されている。領域９０３内のピット９０１により同期信号が作成され、領域９０４内のプリウォブリングされたピット９０１のタイミングで出力される再生信号が比較されることでトラックの中心が確認され、グルーブ９０２から得られるトラッキング信号のオフセット等が補正される。領域９０５以降には情報が記録される。また、プリウォブリングされたピット９０１を有する領域９０４を光ディスクの一周内に複数設け、複数の領域９０４での情報がサンプル及びホールドされて、トラッキング信号として用いられる方法が知られている。【０００４】
上記の従来技術は、光スポットが所定の深さを持つピット又は濃淡ピットを通過する際、光スポットとピットとの位置関係により反射効率が変化することを利用しており、反射して戻ってくる光量の変化が再生信号として読み出される。光スポットは、対物レンズによりレーザ光源から出力された光を回折限界まで集光することで作成される。光スポットのサイズは、光の波長λと開口数ＮＡとに基づいて決定され、λ／（２ＮＡ）程度の大きさである。例えば、λ＝４１０ｎｍ及びＮＡ＝０．８５とした場合、光スポットのサイズは、０．２４μｍ程度の大きさである。このような光スポットを用いる情報記録媒体では、トラック間隔Ｔｐは、０．３２μｍ程度に設定され、ウォブルピットの大きさ（直径）は、光スポットのサイズと同程度の０．２４μｍ程度に設定され、ウォブル量は、例えばＴｐ／４（０．０８μｍ）程度に設定される。【０００５】
しかしながら、従来の構成では、光スポットの大きさは、光の波長と開口数とで決まる回折限界による制限を受けており、情報の記録密度を上げるために光スポットを小さくするには、光の波長を短くするか、開口数を大きくするしかない。極端な短波長の光は紫外光となるため、光源を実現するのが困難であり、光学部品の素材が制限され、容易に利用することができない。また、開口数は、ＳＩＬ（Ｓｏｌｉｄ  Ｉｍｍｅｒｓｉｏｎ  Ｌｅｎｓ）等を用いることにより、１を超える開口数を実現することができる。しかしながら、開口数は、屈折率程度の倍数でしか大きくすることができないため、開口数の大きさには、限界がある。【０００６】
このため、ウォブルピットのサイズを小さくすることが困難であり、更に高密度な情報記録媒体ではトラッキングを検出する手段としてウォブルピットを利用できないという課題を有していた。
【先行技術文献】
【特許文献】
【０００７】
【特許文献１】特開昭５９−３８９３９号公報
【発明の概要】
【０００８】
本発明は、上記の問題を解決するためになされたもので、光の回折限界より狭いトラック間隔のトラックに安定にトラッキングを行うことができる情報記録媒体、トラッキング方法及び光情報装置を提供することを目的とするものである。
【０００９】
本発明の一局面に係る情報記録媒体は、トラックの中心に配置された第１のマークと、前記トラックの中心からトラッキング方向へ所定距離ｂ１だけ離れ、前記第１のマークから前記トラックに沿った方向へ所定距離Ｌ１だけ離れて配置された第２のマークと、前記トラックの中心から前記第２のマークとは反対側のトラッキング方向へ所定距離ｂ２だけ離れ、前記第１のマークから前記トラックに沿った方向へ所定距離Ｌ２だけ離れて配置された第３のマークとを備え、前記第２のマーク及び前記第３のマークは、光情報装置に設けられた散乱体に光が照射されることにより、前記散乱体と各マークとの距離に応じた散乱光を発生させ、前記所定距離ｂ１及び前記所定距離ｂ２は、５０ｎｍより小さく、前記所定距離Ｌ１と前記所定距離Ｌ２との差は、前記第１のマークの前記トラックに沿った方向の長さと前記第２のマークの前記トラックに沿った方向の長さとの和より大きい。
【００１０】
この構成によれば、情報記録媒体は、トラックの中心に配置された第１のマークと、トラックの中心からトラッキング方向へ所定距離ｂ１だけ離れ、第１のマークからトラックに沿った方向へ所定距離Ｌ１だけ離れて配置された第２のマークと、トラックの中心から第２のマークとは反対側のトラッキング方向へ所定距離ｂ２だけ離れ、第１のマークからトラックに沿った方向へ所定距離Ｌ２だけ離れて配置された第３のマークとを備える。そして、第２のマーク及び第３のマークは、光情報装置に設けられた散乱体に光が照射されることにより、散乱体と各マークとの距離に応じた散乱光を発生させる。所定距離ｂ１及び所定距離ｂ２は、５０ｎｍより小さい。所定距離Ｌ１と所定距離Ｌ２との差は、第１のマークのトラックに沿った方向の長さと第２のマークのトラックに沿った方向の長さとの和より大きい。
【００１１】
本発明によれば、第２のマークと第３のマークとをトラッキング方向へ互いにずらして配置し、散乱体が第２のマークに接近したときの散乱光の強度と、散乱体が第３のマークに接近したときの散乱光の強度とに基づいてトラッキング信号が生成されるので、光の回折限界より狭いトラック間隔のトラックに安定にトラッキングを行うことができる。
【００１２】
本発明の目的、特徴及び利点は、以下の詳細な説明と添付図面とによって、より明白となる。
【図面の簡単な説明】
【００１３】
【図１】２つの微小粒子に光が照射される実験例を説明するための概略図である。
【図２】（Ａ）は、２つの微小粒子の間隔が１０ｎｍである場合における光の波長と散乱光強度との関係を示す図であり、（Ｂ）は、２つの微小粒子の間隔が１５ｎｍである場合における光の波長と散乱光強度との関係を示す図であり、（Ｃ）は、２つの微小粒子の間隔が２５ｎｍである場合における光の波長と散乱光強度との関係を示す図であり、（Ｄ）は、２つの微小粒子の間隔が５０ｎｍである場合における光の波長と散乱光強度との関係を示す図であり、（Ｅ）は、２つの微小粒子の間隔が２５０ｎｍである場合における光の波長と散乱光強度との関係を示す図である。
【図３】光ヘッドに設けられた散乱体と、光ディスク上に形成されたマークとを示す断面図である。
【図４】（Ａ）は、図３に示す散乱体とマークとを光ディスク上面方向から見た上面図であり、（Ｂ）は、検出器から得られる信号の例を示す図である。
【図５】（Ａ）は、マークがトラックの中心からずれている場合において、散乱体とマークとを光ディスク上面方向から見た図であり、（Ｂ）は、マークがトラックの中心からずれている場合の検出器から得られる信号の例を示す図である。
【図６】（Ａ）は、マークがトラックの中心からさらにずれている場合において、散乱体とマークとを光ディスク上面方向から見た図であり、（Ｂ）は、マークがトラックの中心からさらにずれている場合の検出器から得られる信号の例を示す図である。
【図７】（Ａ）は、散乱体がトラックの中心上を移動する場合の散乱体及び２つのマークの配置を示す上面図であり、（Ｂ）は、図７（Ａ）に示すマークの配置に対して、散乱体がトラックの中心上を移動した場合に検出される信号を示す図である。
【図８】（Ａ）は、散乱体がトラックの中心より距離ｂ０だけ一方のマーク側にずれて移動する場合の散乱体及び２つのマークの配置を示す上面図であり、（Ｂ）は、図８（Ａ）に示すマークの配置に対して、散乱体がトラックの中心より一方のマーク側にずれて移動する場合に検出される信号の例を示す図である。
【図９】（Ａ）は、散乱体がトラックの中心より距離ｂ０だけ他方のマーク側にずれて移動する場合の散乱体及び２つのマークの配置を示す上面図であり、（Ｂ）は、図９（Ａ）に示すマークの配置に対して、散乱体がトラックの中心より他方のマーク側にずれて移動する場合に検出される信号の例を示す図である。
【図１０】（Ａ）は、光ディスク上のトラックを部分的に拡大した上面図であり、（Ｂ）は、図１０（Ａ）に示すマークの配置に対して、散乱体がトラックの中心上を移動した場合に検出される信号を示す図である。
【図１１】本発明の実施の形態１におけるトラッキング信号演算回路の構成を示す図である。
【図１２】光ディスクのサーボ領域の配置について説明するための部分拡大図である。
【図１３】光ディスクの他のサーボ領域の配置について説明するための部分拡大図である。
【図１４】本実施の形態１の変形例における光ディスクを示す部分拡大上面図である。
【図１５】本実施の形態１の変形例における光ディスクを示す部分拡大斜視図である。
【図１６】三角板形状である散乱体と、光ディスク上に形成されたマークとを示す断面図である。
【図１７】（Ａ）は、図１６に示す散乱体及び光ディスクを示す上面図であり、（Ｂ）は、図１７（Ａ）に示すマークの配置に対して、散乱体がトラックの中心上を移動した場合に検出される信号を示す図である。
【図１８】本実施の形態１における光情報装置の構成例を示す外観図である。
【図１９】図１８に示す光ヘッドの構成を示す拡大図である。
【図２０】図１９に示す光学系保持部の構成を示す図である。
【図２１】光学系保持部の別の構成を示す図である。
【図２２】球形状の散乱体を示す図である。
【図２３】三角柱形状の散乱体を示す図である。
【図２４】円錐形状の散乱体を示す図である。
【図２５】円柱形状の散乱体を示す図である。
【図２６】三角錐形状の散乱体を示す図である。
【図２７】四角錐形状の散乱体を示す図である。
【図２８】直方体形状の散乱体を示す図である。
【図２９】立方体形状の散乱体を示す図である。
【図３０】長楕円体形状の散乱体を示す図である。
【図３１】蝶ネクタイ（Ｂｏｗ−ｔｉｅ）形状の散乱体を示す図である。
【図３２】くちばし形状の散乱体を示す図である。
【図３３】円錐の先端を針状に尖らせた形状の散乱体を示す図である。
【図３４】半長球形状のマークを示す図である。
【図３５】長円柱形状のマークを示す図である。
【図３６】本発明の実施の形態１におけるトラッキング方法について説明するためのフローチャートである。
【図３７】実施の形態２における情報記録媒体を部分的に拡大した上面図である。
【図３８】実施の形態３における情報記録媒体を部分的に拡大した上面図である。
【図３９】（Ａ）は、実施の形態４における情報記録媒体を部分的に拡大した上面図であり、（Ｂ）は、図３９（Ａ）に示すマークの配置に対して、散乱体がトラックの中心上を移動した場合に検出される信号を示す図である。
【図４０】従来の情報記録媒体のプリウォブリングされたピットの一例を示す図である。
【発明を実施するための形態】
【００１４】
以下本発明の実施の形態について、図面を参照しながら説明する。なお、以下の実施の形態は、本発明を具体化した一例であって、本発明の技術的範囲を限定するものではない。
【００１５】
（実施の形態１）
２つの金属（例えば金又は銀）の微小粒子が近接して存在する場合、微小粒子の中心同士を結ぶ方向の偏光を持つ光が照射されると、散乱される照射光の強度は２つの微小粒子の間隔に依存することが知られている（Ｃｏｎｆｉｎｅｄ  ｐｌａｓｍｏｎｓ  ｉｎ  ｎａｎｏｆａｂｒｉｃａｔｅｄ  ｓｉｎｇｌｅ  ｓｉｌｖｅｒ  ｐａｒｔｉｃｌｅ  ｐａｉｒｓ：  ｅｘｐｅｒｉｍｅｎｔａｌ  ｏｂｓｅｒｖａｔｉｏｎｓ  ｏｆ  ｓｔｒｏｎｇ  ｉｎｔｅｒｐａｒｔｉｃｌｅ  ｉｎｔｅｒａｃｔｉｏｎｓ，Ｌ．Ｇｕｎｎａｒｓｓｏｎ  ｅｔ．ａｌ．，Ｊ．Ｐｈｙｓ．Ｃｈｅｍ．Ｂ，２００５，１０９，１０７９−１０８７）。ここで、上記の文献中の図６の例について、図１、図２（Ａ）〜図２（Ｅ）を用いて説明する。
【００１６】
図１は、２つの微小粒子に光が照射される実験例を説明するための概略図である。図２（Ａ）は、２つの微小粒子の間隔が１０ｎｍである場合における光の波長と散乱光強度との関係を示す図であり、図２（Ｂ）は、２つの微小粒子の間隔が１５ｎｍである場合における光の波長と散乱光強度との関係を示す図であり、図２（Ｃ）は、２つの微小粒子の間隔が２５ｎｍである場合における光の波長と散乱光強度との関係を示す図であり、図２（Ｄ）は、２つの微小粒子の間隔が５０ｎｍである場合における光の波長と散乱光強度との関係を示す図であり、図２（Ｅ）は、２つの微小粒子の間隔が２５０ｎｍである場合における光の波長と散乱光強度との関係を示す図である。
【００１７】
図１に示すように、直径が９０ｎｍであり、高さが２５ｎｍであり、銀で構成される円柱形状の２つの微小粒子１ａ，１ｂが所定の間隔ｄ［ｎｍ］で配置される。２つの微小粒子１ａ，１ｂの間に、光ビーム２が照射される。光ビーム２は、２つの微小粒子１ａ，１ｂの中心同士を結ぶ方向に電場が振動する偏光を有する。２つの微小粒子１ａ，１ｂの間に、光ビーム２が照射されると、散乱光３が発生する。
【００１８】
２つの微小粒子１ａ，１ｂの間隔ｄが１０ｎｍである場合、波長７００ｎｍでの散乱光３の強度が最も強くなる（図２（Ａ））。また、２つの微小粒子１ａ，１ｂの間隔ｄが１５ｎｍである場合、散乱光３の強度のピークは短波長側にずれ、波長７００ｎｍでの散乱光３の強度は、間隔ｄが１０ｎｍである場合の散乱光３の強度の８割程度にやや低下する（図２（Ｂ））。
【００１９】
また、２つの微小粒子１ａ，１ｂの間隔ｄが２５ｎｍである場合、散乱光３の強度のピークのずれは大きくなり、波長７００ｎｍでの散乱光３の強度は、間隔ｄが１０ｎｍである場合の散乱光３の強度の６割程度に低下する（図２（Ｃ））。さらに、２つの微小粒子１ａ，１ｂの間隔ｄが５０ｎｍである場合、散乱光３の強度のピークのずれは更に大きくなり、波長７００ｎｍでの散乱光３の強度は、間隔ｄが１０ｎｍである場合の散乱光３の強度の３割程度に低下する（図２（Ｄ））。
【００２０】
さらにまた、２つの微小粒子１ａ，１ｂの間隔が２５０ｎｍである場合、散乱光３は、２つの微小粒子１ａ，１ｂの相互作用の影響をほとんど受けなくなり、２つの微小粒子１ａ，１ｂの振る舞いは、孤立した微小粒子の振る舞いに近くなる。そのため、波長７００ｎｍでの散乱光３の強度は、間隔ｄが１０ｎｍである場合の散乱光３の強度の２割以下となる。（図２（Ｅ））。
【００２１】
このように、特定の波長を決めると、２つの微小粒子の間隔に応じて散乱光の強度が一様に変化する。この現象を応用し、２つの微小粒子の一方を、情報記録媒体である光ディスク側のマークとし、他方を、情報を再生するための光ヘッド側の散乱体（又はアンテナ）とする。これにより、光ディスクのマークと散乱体との距離に応じた散乱光を得ることができる。この散乱光を検出器で受光し、電気信号に変換すれば、光ディスク上のマークと光ヘッド側の散乱体との距離を検出することができる。
【００２２】
図３は、光ヘッドに設けられた散乱体と、光ディスク上に形成されたマークとを示す断面図である。図３において、光ディスク１０１上に、微小粒子として働くマーク１０２が存在し、光ヘッド側に、微小粒子として働く散乱体１０３が存在する。図３の左側から励起光１０４が散乱体１０３に入射され、散乱光１０６が検出器１０５で受光される。励起光１０４の偏光は、マーク１０２と散乱体１０３とが最も近づいた時にそれぞれの中心を結ぶ方向に電場ベクトルが向くような直線偏光である。また、励起光１０４の波長としては、マーク１０２と散乱体１０３とが最も近づいた時に散乱強度が最も高くなるような波長が使用される。散乱体としては、例えば金の微小粒子又は銀の微小粒子を用いることができ、マーク１０２としても、金等の金属の膜を含むマークを用いる。なお、光ディスク１０１は、矢印Ｙ１の方向に回転しているとする。
【００２３】
図４（Ａ）は、図３に示す散乱体とマークとを光ディスク上面方向から見た上面図である。散乱体１０３は、マーク１０２の進行方向上の真上に存在する。この時、散乱体１０３とマーク１０２とが最も近づいた時点で散乱光の強度は最大となる。図４（Ｂ）は、検出器１０５から得られる信号の例を示す図である。時刻ｔ１においてマーク１０２と散乱体１０３とが最も近づき、時刻ｔ１において検出される信号の値Ｓ１が最大となっている。
【００２４】
一方、図５（Ａ）は、マークがトラックの中心からずれている場合において、散乱体とマークとを光ディスク上面方向から見た図である。図５（Ａ）では、マーク１０２がトラックの中心に対してマーク１０２の進行方向に垂直な方向（トラッキング方向）へ距離ｃ１だけずれている。散乱体１０３は、トラックの中心上に存在する。図５（Ｂ）は、マークがトラックの中心からずれている場合の検出器１０５から得られる信号の例を示す図である。マーク１０２がトラックの中心からずれている場合も、時刻ｔ１において散乱光の強度は最大となるが、信号の値Ｓ２は値Ｓ１より小さくなる。
【００２５】
更に、図６（Ａ）は、マークがトラックの中心からさらにずれている場合において、散乱体とマークとを光ディスク上面方向から見た図である。図６（Ａ）では、マーク１０２がトラックの中心に対してマーク１０２の進行方向に垂直な方向（トラッキング方向）へ距離ｃ２（ｃ２＞ｃ１）だけずれている。散乱体１０３は、トラックの中心上に存在する。図６（Ｂ）は、マークがトラックの中心からさらにずれている場合の検出器１０５から得られる信号の例を示す図である。時刻ｔ１においてマーク１０２と散乱体１０３とが最も近づき、散乱光の強度は最大となるが、信号の値Ｓ３は値Ｓ２より更に小さくなる。
【００２６】
次に、図７（Ａ）〜図９（Ｂ）を用いてマークが千鳥状に配置されている場合について説明する。まず、散乱体がトラックの中心上を移動する場合について説明する。
【００２７】
図７（Ａ）は、散乱体がトラックの中心上を移動する場合の散乱体及び２つのマークの配置を示す上面図である。マーク１１１は、トラック１１３の中心からトラッキング方向へ距離ｂ１だけオフセットして配置され、マーク１１２は、トラック１１３の中心からマーク１１１とは反対側のトラッキング方向へ距離ｂ２だけオフセットして配置されている。マーク１１１とマーク１１２とは、トラック１１３に沿った方向へ距離Ｌだけ離れている。
【００２８】
図７（Ｂ）は、図７（Ａ）に示すマークの配置に対して、散乱体１０３がトラック１１３の中心上を移動した場合に検出される信号を示す図である。時刻ｔ１において散乱体１０３はマーク１１１に最も近づき、散乱光の強度に応じた信号が検出される。また、時刻ｔ２において散乱体１０３はマーク１１２に最も近づき、散乱光の強度に応じた信号が検出される。マーク１１１とマーク１１２との間の距離Ｌと、光ディスク１１０の回転線速度ｖとは、下記の式（１）の関係を有している。
【００２９】
Ｌ＝ｖ×（ｔ２−ｔ１）・・・・・（１）
【００３０】
距離ｂ１と距離ｂ２とが等しく、距離ｂ１及び距離ｂ２が、微小粒子の共鳴現象による散乱光が得られる距離である５０ｎｍ程度より小さい場合、時刻ｔ１で検出される信号の値Ｓ１１と、時刻ｔ２で検出される信号の値Ｓ１２とは等しくなる。このため、信号の値Ｓ１１から信号の値Ｓ１２を減算した値は０となる。
【００３１】
次に、散乱体１０３がトラック１１３の中心より一方のマーク１１１側にずれて移動する場合について説明する。図８（Ａ）は、散乱体１０３がトラック１１３の中心より距離ｂ０だけ一方のマーク１１１側にずれて移動する場合の散乱体１０３及び２つのマーク１１１，１１２の配置を示す上面図である。図８（Ｂ）は、図８（Ａ）に示すマークの配置に対して、散乱体１０３がトラック１１３の中心より一方のマーク１１１側にずれて移動する場合に検出される信号の例を示す図である。
【００３２】
時刻ｔ１において散乱体１０３はマーク１１１に最も近づき、散乱光の強度に応じた信号が検出される。また、時刻ｔ２において散乱体１０３はマーク１１２に最も近づき、散乱光に応じた信号が検出される。散乱体１０３とマーク１１１との距離は、図７（Ａ）の場合に比べて距離ｂ０だけ近づくため、時刻ｔ１で検出される信号の値Ｓ２１は、図７（Ｂ）に示す値Ｓ１１より大きくなる。一方、散乱体１０３とマーク１１２との距離は、図７（Ａ）の場合に比べて距離ｂ０だけ遠くなるため、時刻ｔ２で検出される信号の値Ｓ２２は、図７（Ｂ）に示す値Ｓ１２より小さくなる。このため、信号の値Ｓ２１から信号の値Ｓ２２を減算した値は、正の値となる。
【００３３】
更に、散乱体１０３がトラック１１３の中心より他方のマーク１１２側にずれて移動する場合について説明する。図９（Ａ）は、散乱体１０３がトラック１１３の中心より距離ｂ０だけ他方のマーク１１２側にずれて移動する場合の散乱体１０３及び２つのマーク１１１，１１２の配置を示す上面図である。図９（Ｂ）は、図９（Ａ）に示すマークの配置に対して、散乱体１０３がトラック１１３の中心より他方のマーク１１２側にずれて移動する場合に検出される信号の例を示す図である。
【００３４】
時刻ｔ１において散乱体１０３はマーク１１１に最も近づき、散乱光の強度に応じた信号が検出される。また、時刻ｔ２において散乱体１０３はマーク１１２に最も近づき、散乱光の強度に応じた信号が検出される。散乱体１０３とマーク１１１との距離は、図７（Ａ）の場合に比べて距離ｂ０だけ遠くなるため、時刻ｔ１で検出される信号の値Ｓ３１は、図７（Ｂ）に示す値Ｓ１１より小さくなる。一方、散乱体１０３とマーク１１２との距離は、図７（Ａ）の場合に比べて距離ｂ０だけ近づくため、時刻ｔ２で検出される信号の値Ｓ３２は、図７（Ｂ）に示す値Ｓ１２より大きくなる。このため、信号の値Ｓ３１から信号の値Ｓ３２を減算した値は、負の値となる。
【００３５】
このように、微小粒子間の共鳴（プラズモン共鳴）現象により発生する散乱光（エバネッセント光）の強度が微小粒子間の距離に応じて変化することを利用して、マークを配置した位置における散乱光の強度が検出され、マーク配置位置のタイミングで検出される信号の差分が算出される。これにより、トラックの中心と散乱体との位置関係を、極性を含めて検出することが可能となる。このような現象を利用するためには、上記の文献の例にもあるように、波長７００ｎｍの光においても微小粒子間の距離であるオフセット量（距離ｂ１及び距離ｂ２）は、５０ｎｍ程度より短くする必要がある。
【００３６】
距離ｂ１及び距離ｂ２は、光の波長の１／１０より短い距離である。距離ｂ１及び距離ｂ２が５０ｎｍ以上大きくなると、散乱光は極端に弱くなってしまい、検出が難しくなる。従来の例では、波長４００ｎｍ程度の光が用いられ、ピットのオフセット量は、光の波長の１／５程度である８０ｎｍ程度である。本実施の形態と従来の例とを比較すると、マークが、より小さいオフセット量で配置されることがわかる。
【００３７】
また、微小粒子の大きさも、上記の文献の例では直径９０ｎｍ程度であり、１００ｎｍよりも小さい。このようなマークは小さすぎるため、従来の光スポットでは、良好なＳＮ比で信号を検出することができない。このように、微小粒子間の共鳴現象を用いれば、本実施の形態に示したように、従来の光スポットでは検出が難しいような小さなマークを用いて、微小な距離の検出が可能であり、トラックピッチが回折限界より狭いトラックに対してトラッキング信号を得ることができる。
【００３８】
本実施の形態の方法は、従来の光スポットによる方法に比べ、より高密度な情報記録媒体においてトラッキング信号を検出するのに適している。高密度な情報記録媒体に対するトラッキングを実現するためには、マークのオフセット量は、５０ｎｍ程度より短くする必要があり、２５ｎｍより短いことが望ましい。
【００３９】
更に、トラッキングに沿った方向にオフセットしているマーク間の距離Ｌは、２５ｎｍ程度より大きいほうが望ましい。これは、マーク同士の距離が近いと、マーク同士で共鳴現象を起こす可能性があり、散乱体が近づいた時には３つの微小粒子間の共鳴となり、本来の共鳴による散乱光とは異なる散乱光が検出されるためである。このため、距離Ｌは、少なくともマークの直径の２倍程度である必要がある。また、２つのマークの大きさが異なる場合には、距離Ｌは、２つのマークの直径の和程度である必要がある。
【００４０】
図１０（Ａ）を用いて更に詳しい例について説明する。図１０（Ａ）は、光ディスク１２０上のトラック１２１〜１２３を部分的に拡大した上面図である。光ディスク１２０は、データ領域１２４及びサーボ領域１２５を備える。データ領域１２４には、列状に形成された複数のデータ用マーク１３０により、情報が記録されている。サーボ領域１２５には、トラッキングサーボに用いられるトリガーマーク１３１、第１のウォブルマーク１３２及び第２のウォブルマーク１３３が形成されている。
【００４１】
光ディスク１２０は、トリガーマーク１３１、第１のウォブルマーク１３２及び第２のウォブルマーク１３３を備える。トリガーマーク１３１は、トラッキング制御を開始するためのトリガーの役割を持っており、第１のウォブルマーク１３２及び第２のウォブルマーク１３３を通過するタイミングを決めるための基準となる。トリガーマーク１３１は、トラックの中心に配置される。
【００４２】
第１のウォブルマーク１３２及び第２のウォブルマーク１３３は、トラック１２２の中心に対して互いに逆方向に所定の距離ｂ１及びｂ２だけ離れて配置される。トリガーマーク１３１から第１のウォブルマーク１３２までのトラック１２２に沿った方向の距離をＬ１とし、トリガーマーク１３１から第２のウォブルマーク１３３までのトラック１２２に沿った方向の距離をＬ２とする。散乱体１０３は、トラック１２２を相対的速度ｖで移動する。
【００４３】
すなわち、第１のウォブルマーク１３２は、トラック１２２の中心からトラッキング方向へ所定距離ｂ１だけ離れ、トリガーマーク１３１からトラック１２２に沿った方向へ所定距離Ｌ１だけ離れて配置される。また、第２のウォブルマーク１３３は、トラック１２２の中心から第１のウォブルマーク１３２とは反対側のトラッキング方向へ所定距離ｂ２だけ離れ、トリガーマーク１３１からトラック１２２に沿った方向へ所定距離Ｌ２だけ離れて配置される。なお、本実施の形態では、距離ｂ１と距離ｂ２とは同じである。
【００４４】
図１０（Ｂ）は、図１０（Ａ）に示すマークの配置に対して、散乱体がトラックの中心上を移動した場合に検出される信号を示す図である。
【００４５】
時刻ｔ０において散乱体１０３はトリガーマーク１３１に最も近づき、散乱光の強度に応じた信号が検出される。次に、時刻ｔ１において散乱体１０３は第１のウォブルマーク１３２に最も近づき、散乱光の強度に応じた信号が検出される。次に、時刻ｔ２において散乱体１０３は第２のウォブルマーク１３３に最も近づき、散乱光の強度に応じた信号が検出される。
【００４６】
図１１は、本実施の形態１におけるトラッキング信号演算回路の構成を示す図である。トラッキング信号演算回路は、ＩＶ変換増幅器１４０、タイミング信号生成回路１４１、タイミング調整回路１４２、第１のサンプル及びホールド回路１４３、第２のサンプル及びホールド回路１４４、差動演算回路１４５及び端子１４６を備える。
【００４７】
散乱体１０３と各マークとの間で散乱された光は検出器１０５により検出される。検出器１０５は、検出した光を電流信号に変換する。検出器１０５から出力された電流信号は、ＩＶ変換増幅器１４０によって電圧信号に変換される。ＩＶ変換増幅器１４０から出力された信号は、データ用マーク１３０に記録された情報の再生にも利用される。
【００４８】
タイミング信号生成回路１４１は、ＩＶ変換増幅器１４０から出力された信号に基づいて、トリガーマーク１３１が通過したことを検出し、トリガーマーク１３１の通過を示すタイミングパルスを生成する。タイミング調整回路１４２は、トリガーマーク１３１の通過を示すタイミングパルスが生成された時刻ｔを０とする。タイミング調整回路１４２は、タイミング信号生成回路１４１からのタイミングパルスを受け、散乱体１０３が第１のウォブルマーク１３２の横を通過する第１の時刻ｔ１＝Ｌ１／ｖのタイミングで第１のサンプル及びホールド回路１４３にサンプリングパルスを送り、散乱体１０３が第２のウォブルマーク１３３の横を通過する第２の時刻ｔ２＝Ｌ２／ｖのタイミングで第２のサンプル及びホールド回路１４４にサンプリングパルスを送る。
【００４９】
第１のサンプル及びホールド回路１４３は、タイミング調整回路１４２からのサンプリングパルスを受け、第１の時刻ｔ１のタイミングでＩＶ変換増幅器１４０からの信号の値Ｓ１１をサンプリングし、ホールドする。同様に、第２のサンプル及びホールド回路１４４は、タイミング調整回路１４２からのサンプリングパルスを受け、第２の時刻ｔ２のタイミングでＩＶ変換増幅器１４０からの信号の値Ｓ１２をサンプリングし、ホールドする。
【００５０】
差動演算回路１４５は、第１のサンプル及びホールド回路１４３から出力される値Ｓ１１と、第２のサンプル及びホールド回路１４４から出力される値Ｓ１２とを受けて、値Ｓ１１と値Ｓ１２との差分を算出する。サンプリングされた２つの値Ｓ１１と値Ｓ１２との差動が算出されることでトラッキング信号が生成される。生成されたトラッキング信号は端子１４６に出力される。
【００５１】
サーボ領域１２５は、光ディスク１２０の周内の複数箇所に配置される。あるサーボ領域と次のサーボ領域との間では、トラッキング信号は不図示のホールド回路で保持される。また、滑らかなトラッキング信号を得るためには、複数のサーボ領域で得られるトラッキング信号を平均して用いても良い。さらに、デジタルサーボ制御理論に基づき各場所のサーボ領域で得られるトラッキング信号は離散誤差信号として扱っても良い。
【００５２】
図１２は、光ディスク１２０のサーボ領域１２５の配置について説明するための部分拡大図であり、図１３は、光ディスク１２０の他のサーボ領域１２５の配置について説明するための部分拡大図である。図１２に示すように、サーボ領域１２５は、互いに隣接するトラックの同じ位置に並んで配置されていても良い。また、図１３に示すように、サーボ領域１２５は、互いに隣接するトラックの同じ位置に並ばないように配置されても良い。
【００５３】
図１４は、本実施の形態１の変形例における光ディスクを示す部分拡大上面図であり、図１５は、本実施の形態１の変形例における光ディスクを示す部分拡大斜視図である。光ディスク１６０は、データ領域１６１及びサーボ領域１６３を備える。
【００５４】
データ領域１６１には、所定の幅を有する線状のグルーブ１６２上に情報が記録されている。サーボ領域１６３には、トラッキングサーボに用いられるトリガーマーク１６４、第１のウォブルマーク１６５及び第２のウォブルマーク１６６が形成されている。なお、サーボ領域１６３は、図１０（Ａ）に示すサーボ領域１２５とほぼ同様の構成を有している。トリガーマーク１６４の形状は、図１５の斜視図に示すように円柱形状である。更に、第１のウォブルマーク１６５及び第２のウォブルマーク１６６の形状も円柱形状である。このように、グルーブ状のデータ領域１６１と、マーク状のサーボ領域１６３とを組み合わせても良い。
【００５５】
なお、本実施の形態では、散乱体の形状は、球形状であるが、本発明は特にこれに限定されず、他の形状であってもよい。図１６は、三角板形状である散乱体と、光ディスク上に形成されたマークとを示す断面図である。
【００５６】
散乱体である金属アンテナ２０１の光入射面の形状は、三角形である。金属アンテナ２０１は、板状である。金属アンテナ２０１の先端は、情報記録媒体である光ディスク２００と対向している。金属アンテナ２０１の光入射面は、光ディスク２００の表面に対して所定の角度を有している。
【００５７】
図１６の右上方から光ビーム２１３が金属アンテナ２０１に照射される。金属アンテナ２０１に照射された光ビーム２１３の一部は、反射されて検出器１０５により受光される。反射光２１４は、検出器１０５によって、受光された光量に応じた電気信号に変換される。
【００５８】
金属アンテナ２０１の先端と共鳴する微小粒子であるマークとの距離に応じて反射光２１４は変化する。共鳴が起きると金属アンテナ２０１とマークとの間で励起された双極子から周囲に放射及び散乱されるエネルギーが増加するため反射率が低下する。従って、金属アンテナ２０１とマークとが最も近づいたときに得られる信号は低下する。
【００５９】
図１７（Ａ）は、図１６に示す金属アンテナ及び光ディスクを示す上面図である。図１７（Ａ）では、光ディスク２００のトラック２０３〜２０４のサーボ領域近傍を拡大して示している。光ディスク２００は、データ領域２０６及びサーボ領域２０８を備える。
【００６０】
データ領域２０６には、所定の幅を有する線状のグルーブ２０７上に情報が記録されている。サーボ領域２０８には、トリガーマーク２１０、第１のウォブルマーク２１１及び第２のウォブルマーク２１２が形成されている。同期用のトリガーマーク２１０は、トリガーの役割を持っており、第１のウォブルマーク２１１及び第２のウォブルマーク２１２が通過するタイミングを決めるための基準となる。トリガーマーク２１０は、トラックの中心に配置される。
【００６１】
第１のウォブルマーク２１１及び第２のウォブルマーク２１２は、トラック２０４の中心に対して互いに逆方向に所定の距離ｂ１及びｂ２だけ離れて配置される。トリガーマーク２１０から第１のウォブルマーク２１１までのトラック２０４に沿った方向の距離をＬ１とし、トリガーマーク２１０から第２のウォブルマーク２１２までのトラック２０４に沿った方向の距離をＬ２とする。金属アンテナ２０１は、トラック２０４を相対的速度ｖで移動する。
【００６２】
すなわち、第１のウォブルマーク２１１は、トラック２０４の中心からトラッキング方向へ所定距離ｂ１だけ離れ、トリガーマーク２１０からトラック２０４に沿った方向へ所定距離Ｌ１だけ離れて配置される。また、第２のウォブルマーク２１２は、トラック２０４の中心から第１のウォブルマーク２１１とは反対側のトラッキング方向へ所定距離ｂ２だけ離れ、トリガーマーク２１０からトラック２０４に沿った方向へ所定距離Ｌ２だけ離れて配置される。なお、本実施の形態では、距離ｂ１と距離ｂ２とは同じである。
【００６３】
図１７（Ｂ）は、図１７（Ａ）に示すマークの配置に対して、金属アンテナがトラックの中心上を移動した場合に検出される信号を示す図である。
【００６４】
時刻ｔ０において金属アンテナ２０１はトリガーマーク２１０に最も近づき、散乱光の強度に応じた信号が検出される。次に、時刻ｔ１において金属アンテナ２０１は第１のウォブルマーク２１１に最も近づき、散乱光の強度に応じた信号が検出される。次に、時刻ｔ２において金属アンテナ２０１は第２のウォブルマーク２１２に最も近づき、散乱光の強度に応じた信号が検出される。
【００６５】
検出器１０５によって検出された信号は、トラッキング信号演算回路に出力される。トラッキング信号演算回路の構成は、図１１と同じである。
【００６６】
まず、金属アンテナ２０１は、トリガーマーク２１０を通過する。タイミング調整回路１４２は、金属アンテナ２０１がトリガーマーク２１０を通過する時刻ｔを０とする。第１のサンプル及びホールド回路１４３は、金属アンテナ２０１がトリガーマーク２１０を通過する時刻を基準に、金属アンテナ２０１が第１のウォブルマーク２１１の横を通過する時刻ｔ１＝Ｌ１／ｖのタイミングで検出器１０５から出力される信号の値Ｓ１をサンプリングしてホールドする。また、第２のサンプル及びホールド回路１４４は、金属アンテナ２０１がトリガーマーク２１０を通過する時刻を基準に、金属アンテナ２０１が第２のウォブルマーク２１２の横を通過する時刻ｔ２＝Ｌ２／ｖのタイミングで検出器１０５から出力される信号の値Ｓ２をサンプリングしてホールドする。差動演算回路１４５は、第１のサンプル及びホールド回路１４３によってサンプリングされた信号の値Ｓ１と、第２のサンプル及びホールド回路１４４によってサンプリングされた信号の値Ｓ２との差動をトラッキング信号として算出する。
【００６７】
図１６に示すように、第１のウォブルマーク２１１及び第２のウォブルマーク２１２の形状は、金属アンテナ側に突出した凸形状であり、散乱体である金属アンテナ２０１が第１のウォブルマーク２１１又は第２のウォブルマーク２１２に物理的に近づくことで共鳴状態の変化が検出される。このため、金属アンテナ２０１と光ディスク２００（第１のウォブルマーク２１１及び第２のウォブルマーク２１２）との距離は、少なくとも５０ｎｍ以下であることが望ましく、２５ｎｍ以下であることがより望ましい。
【００６８】
また、第１のウォブルマーク２１１と共鳴している状態と、第２のウォブルマーク２１２と共鳴している状態とを区別するためには、第１のウォブルマーク２１１と第２のウォブルマーク２１２との間の距離は、マークの直径の２倍程度であることが望ましい。なお、マークの大きさが異なる場合には、第１のウォブルマーク２１１と第２のウォブルマーク２１２との間の距離は、第１のウォブルマーク２１１の直径と第２のウォブルマーク２１２の直径との和程度であることが望ましい。第１のウォブルマーク２１１と第２のウォブルマーク２１２との間の距離が近いと、２つのマークと金属アンテナ２０１との３つが共鳴するため、金属アンテナ２０１が第１のウォブルマーク２１１に最も近づいた際に検出される信号と、金属アンテナ２０１が第２のウォブルマーク２１２に最も近づいた際に検出される信号との分離が難しくなる。
【００６９】
以上のように、本実施形態１の情報記録媒体は、下記の構成を主に有している。
【００７０】
すなわち、本実施の形態１の情報記録媒体は、情報が列状に記録されたトラックの中心に配置された第１のマークと、トラックの中心からトラッキング方向へ所定距離ｂ１だけ離れ、第１のマークからトラックに沿った方向へ所定距離Ｌ１だけ離れて配置された第２のマークと、トラックの中心から第２のマークとは反対側のトラッキング方向へ所定距離ｂ２だけ離れ、第１のマークからトラックに沿った方向へ所定距離Ｌ２だけ離れて配置された第３のマークとを備える。このとき、第２のマーク及び第３のマークは、光情報装置に設けられた散乱体に光が照射されることにより、散乱体と各マークとの距離に応じた散乱光を発生させる。また、所定距離ｂ１及び所定距離ｂ２は、５０ｎｍより小さい。所定距離Ｌ１と所定距離Ｌ２との差は、第１のマークのトラックに沿った方向の長さと第２のマークの前記トラックに沿った方向の長さとの和より大きい。
【００７１】
以上の構成によれば、光の回折限界より狭い間隔のトラックに安定してトラッキングを行うことができる。
【００７２】
図１８は、本実施の形態１における光情報装置の構成例を示す外観図である。光ディスク２００はモータ３０６により回転させられる。光ヘッド３０１は、アーム３０２により保持される。光ヘッド３０１は、駆動機構としてのモータ３０３によって、光ディスク２００の半径方向に移動する。光ヘッド３０１から出力される信号に基づいてトラッキング信号が生成され、トラッキング信号に基づいてモータ３０３が駆動されることで、光ヘッド３０１は、光ディスク２００に偏芯があってもトラックに追従する。
【００７３】
図１９は、図１８に示す光ヘッドの構成を示す拡大図である。光ヘッド３０１は、光学系保持部３０４とスライダ３０５とを備える。スライダ３０５は、光ディスク２００の回転により生じる空気の流れにより光ヘッド３０１を光ディスク２００に対して所定の距離だけ浮上した状態で保持する。
【００７４】
図２０は、図１９に示す光学系保持部の構成を示す図である。光学系保持部３０４は、半導体レーザ３１０、導波路３１１、金属アンテナ２０１及び検出器１０５を備える。光源である半導体レーザ３１０から出射された光ビームは、導波路３１１を通って、散乱体である金属アンテナ２０１に照射される。金属アンテナ２０１は、情報記録媒体である光ディスク２００のマーク等と相互作用し、共鳴現象等により反射率が変化する。金属アンテナ２０１で反射された光ビームは、再び導波路３１１を通り、検出器１０５に入射する。半導体レーザ３１０、導波路３１１、金属アンテナ２０１及び検出器１０５は、光学系保持部３０４により保持される。
【００７５】
図２１は、光学系保持部の別の構成を示す図である。光学系保持部３０４’は、半導体レーザ３１０、導波路３２１、散乱体１０３、レンズ３２３及び検出器１０５を備える。光源である半導体レーザ３１０から出射された光ビームは、導波路３２１を通って散乱体１０３に照射される。散乱体１０３は、光ディスク２００のマーク等と相互作用し、マークとの距離に応じた散乱光を発生させる。散乱体１０３の近傍で発生した散乱光は、レンズ３２３で集光され、検出器１０５に入射する。半導体レーザ３１０、導波路３２１、散乱体１０３、レンズ３２３及び検出器１０５は、光学系保持部３０４’により保持される。
【００７６】
なお、本実施の形態では、光ディスクが２つのウォブルマークを備えている例を示したが、３つ又は３つ以上のウォブルマークを備えてもよく、それらのウォブルマークに基づいて得られる信号を総合してトラッキング信号を生成しても良い。
【００７７】
なお、本実施の形態では、散乱体として金属アンテナを用いる例を示したが、素材は金属に限らず、光を照射した際にマークと結合して共鳴する素材であれば、ダイヤモンドライクカーボン又はカーボンナノチューブ等の金属以外の素材を用いても良い。この場合、金属と異なり酸化等の変質がなくなり、強度も強くなる。
【００７８】
また、本実施の形態では、金属アンテナの材料として金を用いる例を示したが、金に限らず、銀、白金、銅又はアルミニウム等の他の金属を用いても良い。金属の誘電率は、種類によって異なる。そのため、使用する金属が異なると、共鳴する金属の形状と波長（光の周波数）との関係が変化するので、製造しやすい大きさ又は形状を有する金属が選択可能であり、自由度が増える。
【００７９】
また、本実施の形態では、散乱体の形状の例として、球形状及び三角柱形状の例を示したが、本発明は特にこれに限定されない。以下、散乱体の種々の形状について説明する。
【００８０】
図２２は、球形状の散乱体を示す図である。図２２に示すように、散乱体１０３ａの形状は、球形状であってもよい。図２３は、三角柱形状の散乱体を示す図である。図２３に示すように、散乱体１０３ｂの形状は、三角柱形状であってもよい。図２４は、円錐形状の散乱体を示す図である。図２４に示すように、散乱体１０３ｃの形状は、円錐形状であってもよい。図２５は、円柱形状の散乱体を示す図である。図２５に示すように、散乱体１０３ｄの形状は、円柱形状であってもよい。
【００８１】
図２６は、三角錐形状の散乱体を示す図である。図２６に示すように、散乱体１０３ｅの形状は、三角錐形状であってもよい。図２７は、四角錐形状の散乱体を示す図である。図２７に示すように、散乱体１０３ｆの形状は、四角錐形状であってもよい。図２８は、直方体形状の散乱体を示す図である。図２８に示すように、散乱体１０３ｇの形状は、直方体形状であってもよい。図２９は、立方体形状の散乱体を示す図である。図２９に示すように、散乱体１０３ｈの形状は、立方体形状であってもよい。図３０は、長楕円体形状の散乱体を示す図である。図３０に示すように、散乱体１０３ｉの形状は、長楕円体形状であってもよい。
【００８２】
このように、散乱体の形状は、円錐形状、円柱形状、三角錐形状、四角錐形状、直方体形状、立方体形状、又は長楕円体形状等であってもよい。
【００８３】
図３１は、蝶ネクタイ（Ｂｏｗ−ｔｉｅ）形状の散乱体を示す図である。図３１に示すように、散乱体１０３ｊの形状は、２つの三角柱を向かい合わせた蝶ネクタイ（Ｂｏｗ−ｔｉｅ）形状であってもよい。図３２は、くちばし形状の散乱体を示す図である。図３２に示すように、散乱体１０３ｋの形状は、三角柱の先端をくちばし状に尖らせたくちばし形状であってもよい。図３３は、円錐の先端を針状に尖らせた形状の散乱体を示す図である。図３３に示すように、散乱体１０３ｌの形状は、円錐の先端を針状に尖らせた形状であってもよい。
【００８４】
また、本実施の形態では、散乱体はむき出しの状態で配置されているが、マークとの結合による共鳴を妨げない物質であれば、散乱体は、保護層によって被覆されてもよい。
【００８５】
また、本実施の形態では、マークの形状としては、半球形状の例と円柱形状の例とを示しているが、本発明は特にこれに限定されない。図３４は、半長球形状のマークを示す図である。図３４に示すように、トリガーマーク１３１ａ、第１のウォブルマーク１３２ａ及び第２のウォブルマーク１３３ａの形状は、半長球形状（底面が楕円のドーム形状）であってもよい。図３５は、長円柱形状のマークを示す図である。図３５に示すように、トリガーマーク１３１ｂ、第１のウォブルマーク１３２ｂ及び第２のウォブルマーク１３３ｂの形状は、長円柱形状（底面が楕円の柱形状）であってもよい。
【００８６】
また、本実施の形態において、トリガーマーク１３１ｂ、第１のウォブルマーク１３２ｂ及び第２のウォブルマーク１３３ｂの形状は、全て同じであるが、全て異ならせてもよい。また、トリガーマーク１３１ｂ、第１のウォブルマーク１３２ｂ及び第２のウォブルマーク１３３ｂのうち、トリガーマーク１３１ｂの形状のみを変えてもよい。
【００８７】
また、散乱体と同様に、散乱体との結合による共鳴を妨げない物質であれば、マークは、保護層によって被覆されても良い。すなわち、トリガーマーク（第１のマーク）、第１のウォブルマーク（第２のマーク）及び第２のウォブルマーク（第３のマーク）は、金属層（金属膜）を含んでもよい。
【００８８】
また、本実施の形態では、マークが金で構成される膜を含む例を示しているが、光を照射した際に散乱体と結合して共鳴を起こす物質であれば、金に限らない。マークは、銀、白金、銅又はアルミニウム等の他の金属で構成される膜を含んでもよいし、金属以外の材質で構成される膜を含んでも良い。
【００８９】
このような情報記録媒体は、高密度な記録を実現でき、不揮発性のメモリとして利用することができ、映像記録用の情報記録媒体として使用することができる。
【００９０】
なお、本実施の形態において、トリガーマーク１３１，１６４，２１０，１３１ａ，１３１ｂが第１のマークの一例に相当し、第１のウォブルマーク１３２，１６５，２１１，１３２ａ，１３２ｂが第２のマークの一例に相当し、第２のウォブルマーク１３３，１６６，２１２，１３３ａ，１３３ｂが第３のマークの一例に相当し、散乱体１０３，１０３ａ〜１０３ｌ及び金属アンテナ２０１が散乱体の一例に相当し、モータ３０６が移動部の一例に相当し、タイミング信号生成回路１４１が検出部の一例に相当し、第１のサンプル及びホールド回路１４３が第１の保持部の一例に相当し、第２のサンプル及びホールド回路１４４が第２の保持部の一例に相当し、差動演算回路１４５がトラッキング信号算出部の一例に相当する。
【００９１】
次に、本実施の形態のトラッキング方法について説明する。図３６は、本実施の形態１におけるトラッキング方法について説明するためのフローチャートである。情報記録媒体の構成としては、実施の形態１の図１０（Ａ）で述べたような情報記録媒体としての光ディスク１２０が用いられ、散乱体１０３との相互作用を検出してトラッキング信号が取得される。また、光情報装置の構成としては、図１１、図１８〜図２１に示す光情報装置が用いられる。
【００９２】
まず、ステップＳ１０１において、半導体レーザ（光源）３１０は、光を散乱体１０３に照射する。次に、ステップＳ１０２において、モータ３０６は、光ディスク（情報記録媒体）２００を速度ｖで回転させる。これにより、散乱体１０３は、光ディスク２００のトラックに沿った方向に相対速度ｖで移動する。次に、ステップＳ１０３において、検出器１０５は、散乱体１０３と光ディスク（情報記録媒体）２００上のマークとが接近した際に生じる散乱光を検出する。
【００９３】
続いて、ステップＳ１０４において、タイミング信号生成回路１４１は、散乱体１０３が第１のマークであるトリガーマーク１３１を通過したことを検出する。
【００９４】
次に、ステップＳ１０５において、タイミング調整回路１４２は、散乱体１０３がトリガーマーク１３１を通過してからの時刻の計時を開始し、散乱体１０３が第２のマークである第１のウォブルマーク１３２（トリガーマーク１３１からトラックに沿った方向に距離Ｌ１離れている）を通過する第１の時刻ｔ１＝Ｌ１／ｖを算出する。タイミング調整回路１４２は、算出した第１の時刻ｔ１になると、サンプリングパルスを第１のサンプル及びホールド回路１４３へ出力する。第１のサンプル及びホールド回路１４３は、タイミング調整回路１４２からサンプリングパルスが入力されると、検出器１０５によって検出される信号の値を保持する。このように、第１のサンプル及びホールド回路１４３は、検出器１０５によって散乱体１０３がトリガーマーク１３１を通過したことが検出されてから、散乱体１０３が第１のウォブルマーク１３２を通過するまでの第１の時刻ｔ１＝Ｌ１／ｖにおいて散乱体１０３と第１のウォブルマーク１３２との距離に応じて検出される信号の値を第１の信号値として保持する。
【００９５】
次に、ステップＳ１０６において、タイミング調整回路１４２は、散乱体１０３が第３のマークである第２のウォブルマーク１３３（トリガーマーク１３１からトラックに沿った方向に距離Ｌ２離れている）を通過する第２の時刻ｔ２＝Ｌ２／ｖを算出する。タイミング調整回路１４２は、算出した第２の時刻ｔ２になると、サンプリングパルスを第２のサンプル及びホールド回路１４４へ出力する。第２のサンプル及びホールド回路１４４は、タイミング調整回路１４２からサンプリングパルスが入力されると、検出器１０５によって検出される信号の値を保持する。このように、第２のサンプル及びホールド回路１４４は、検出器１０５によって散乱体１０３がトリガーマーク１３１を通過したことが検出されてから、散乱体１０３が第２のウォブルマーク１３３を通過するまでの第２の時刻ｔ２＝Ｌ２／ｖにおいて散乱体１０３と第２のウォブルマーク１３３との距離に応じて検出される信号の値を第２の信号値として保持する。
【００９６】
続いて、ステップＳ１０７において、差動演算回路１４５は、第１のサンプル及びホールド回路１４３によって保持された信号の値と、第２のサンプル及びホールド回路１４４によって保持された信号の値との差を計算しトラッキング信号として出力する。これにより、トラッキング信号を得ることができる。
【００９７】
以上のように、本実施の形態のトラッキング方法は、下記の構成を主に有している。
【００９８】
すなわち、本実施の形態のトラッキング方法において、情報記録媒体は、トラックの中心に配置された第１のマークと、トラックの中心からトラッキング方向へ所定距離ｂ１だけ離れ、第１のマークからトラックに沿った方向へ所定距離Ｌ１だけ離れて配置された第２のマークと、トラックの中心から第２のマークとは反対側のトラッキング方向へ所定距離ｂ２だけ離れ、第１のマークからトラックに沿った方向へ所定距離Ｌ２だけ離れて配置された第３のマークとを備える。このとき、第２のマーク及び第３のマークは、光情報装置に設けられた散乱体に光が照射されることにより、散乱体と各マークとの距離に応じた散乱光を発生させる。所定距離ｂ１及び所定距離ｂ２は、５０ｎｍより小さい。所定距離Ｌ１と所定距離Ｌ２との差は、前記第１のマークのトラックに沿った方向の長さと第２のマークのトラックに沿った方向の長さとの和より大きい。
【００９９】
このとき、本実施の形態のトラッキング方法は、散乱体をトラックに沿った方向へ所定の相対速度ｖで移動させる移動ステップと、散乱体が第１のマークを通過したことを検出する検出ステップと、検出ステップにおいて散乱体が第１のマークを通過したことが検出されてから、散乱体が第２のマークを通過するまでの第１の時刻ｔ１＝Ｌ１／ｖにおいて散乱体と第２のマークとの距離に応じて検出される信号の値を第１の信号値として保持する第１の保持ステップと、検出ステップにおいて散乱体が第１のマークを通過したことが検出されてから、散乱体が第３のマークを通過するまでの第２の時刻ｔ２＝Ｌ２／ｖにおいて散乱体と第３のマークとの距離に応じて検出される信号の値を第２の信号値として保持する第２の保持ステップと、第１の信号値と第２の信号値との差をトラッキング信号として算出するトラッキング信号算出ステップとを包含する。
【０１００】
本実施の形態の方法によれば、光の回折限界よりも狭い間隔のトラックに対しても、安定してトラッキング信号を生成することができ、情報の記録密度を高めることができる。
【０１０１】
なお、ここまでの実施の形態としては、情報記憶媒体として円盤状のものを例に説明し、回転方向にトラックが形成されているが、本実施の形態のトラッキング方法はこれに限定されるものではない。光ヘッドが１次元的に配置されたトラックを走査するために、実施の形態１又は２で述べたような第１及び第２のウォブルマークを用いてトラッキング制御を行うことができる。例えば、本実施の形態のトラッキング方法は、プローブ顕微鏡のプローブのスキャン位置決めなどにも利用でき、被測定物であるサンプルをトラック状に配置しておき、順次走査しながらサンプルを測定するということも可能である。
【０１０２】
（実施の形態２）
次に、実施の形態２における情報記録媒体ついて述べる。図３７は、実施の形態２における情報記録媒体を部分的に拡大した上面図である。図３７の部分拡大図では、情報記録媒体としての光ディスク４００のトラック群４０１とトラッキング用のサーボ領域４０３とを示している。
【０１０３】
本実施の形態ではトラッキング用のマーク４１０〜４１５がデータ領域４０２のトラック幅より大きい場合の例について説明する。トラッキング用のマーク４１０〜４１５がデータ領域４０２のトラック群４０１のトラック幅Ｔｐより大きい場合、各トラックに対してマークをトラッキング方向へ並べて配置すると、マークが重なり合ってしまい配置できない。この課題を解決するため、トラックを複数のグループに分け、各グループ毎にトラッキング用のマークを配置する。図３７には、第１のマーク群４３１、第２のマーク群４３２及び第３のマーク群４３３に属するトラッキング用のマークのみを示している。
【０１０４】
光ディスク４００は、データ領域４０２及びサーボ領域４０３を備える。データ領域４０２には、列状に形成された複数のデータ用マーク４２０により、情報が記録されている。サーボ領域４０３には、トラッキングサーボに用いられるトリガーマーク４２１、第１のウォブルマーク４１０及び第２のウォブルマーク４１１が形成されている。
【０１０５】
光ディスク４００は、トリガーマーク４２１、第１のウォブルマーク４１０及び第２のウォブルマーク４１１を備える。トリガーマーク４２１は、トラッキング制御を開始するためのトリガーの役割を持っており、第１のウォブルマーク４１０及び第２のウォブルマーク４１１を通過するタイミングを決めるための基準となる。トリガーマーク４２１は、トラックの中心に配置される。
【０１０６】
第１のウォブルマーク４１０は、トラックの中心からトラッキング方向へ所定距離Δだけ離れた位置にエッジを有するように配置される。第２のウォブルマーク４１１は、トラックの中心から第１のウォブルマーク４１０とは反対側のトラッキング方向へ所定距離Δだけ離れた位置にエッジを有するように配置される。第１のウォブルマーク４１０及び第２のウォブルマーク４１１のトラッキング方向の幅は、トラック間隔より大きい。第１のウォブルマーク４１０及び第２のウォブルマーク４１１は、光情報装置に設けられた散乱体に光が照射されることにより、散乱体１０３と各マークのエッジとの距離に応じた散乱光を発生させる。所定距離Δは、５０ｎｍより小さい。
【０１０７】
また、第１のウォブルマーク４１０及び第２のウォブルマーク４１１は、トリガーマーク４２１からの距離に応じて複数のグループに分類される。同一グループに属する第１のウォブルマーク４１０及び第２のウォブルマーク４１１は、所定の周期で繰り返し配置される。
【０１０８】
なお、データ領域４０２のデータ用マーク４２０は、自己組織化法により作製され、第１のウォブルマーク４１０及び第２のウォブルマーク４１１は、データ用マーク４２０が自己組織化法により作製される際にデータ用マーク４２０をガイドし、データ用マーク４２０の配列を規制する効果を持たせても良い。
【０１０９】
第１のマーク群４３１の第１のウォブルマーク４１０と第２のウォブルマーク４１１とは、８本のトラックにまたがっている。第１のウォブルマーク４１０は、トラッキング方向の一方のエッジがトラックａ１の中心からトラッキング方向へ所定距離Δだけ離れており、３つのトラックｂ１，ｃ１，ｄ１をまたぎ、トラッキング方向の他方のエッジがトラックａ２の中心からトラッキング方向へ所定距離Δだけ離れて配置される。第２のウォブルマーク４１１は、トラッキング方向の一方のエッジがトラックａ２の中心からトラッキング方向へ所定距離Δだけ離れており、３つのトラックｂ２，ｃ２，ｄ２をまたぎ、トラッキング方向の他方のエッジがトラックａ３の中心からトラッキング方向へ所定距離Δだけ離れて配置される。
【０１１０】
第１のマーク群４３１では、第１のウォブルマーク４１０と第２のウォブルマーク４１１との組み合わせが、トラッキング方向へ繰り返して配置されている。
【０１１１】
同様に、第２のマーク群４３２の第１のウォブルマーク４１２と第２のウォブルマーク４１３とは、８本のトラックにまたがっている。第１のウォブルマーク４１２は、トラッキング方向の一方のエッジがトラックｂ１の中心からトラッキング方向へ所定距離Δだけ離れており、３つのトラックｃ１，ｄ１，ａ２を跨ぎ、トラッキング方向の他方のエッジがトラックｂ２の中心からトラッキング方向へ所定距離Δだけ離れて配置される。第２のウォブルマーク４１３は、トラッキング方向の一方のエッジがトラックｂ２の中心からトラッキング方向へ所定距離Δだけ離れており、３つのトラックｃ２，ｄ２，ａ３を跨ぎ、トラッキング方向の他方のエッジがトラックｂ３（図示せず）の中心からトラッキング方向へ所定距離Δだけ離れて配置される。
【０１１２】
第２のマーク群４３２では、第１のウォブルマーク４１２と第２のウォブルマーク４１３との組み合わせが、トラッキング方向へ繰り返して配置されている。
【０１１３】
更に、第３のマーク群４３３の第１のウォブルマーク４１４及び第２のウォブルマーク４１５は、第１のマーク群４３１の第１のウォブルマーク４１０と第２のウォブルマーク４１１と同様に配置され、図示していない第４のマーク群の第１のウォブルマーク及び第２のウォブルマークも、第１のマーク群４３１の第１のウォブルマーク４１０と第２のウォブルマーク４１１と同様に配置される。
【０１１４】
第３のマーク群４３３では、第１のウォブルマーク４１４と第２のウォブルマーク４１５との組み合わせが、トラッキング方向へ繰り返して配置されている。第４のマーク群では、第１のウォブルマークと第２のウォブルマークとの組み合わせが、トラッキング方向へ繰り返して配置されている。
【０１１５】
第２のマーク群４３２の第１のウォブルマーク４１２及び第２のウォブルマーク４１３は、第１のマーク群４３１の第１のウォブルマーク４１０及び第２のウォブルマーク４１１に対してトラッキング方向へ１トラック分ずれて配置される。また、第３のマーク群４３３の第１のウォブルマーク４１４及び第２のウォブルマーク４１５は、第２のマーク群４３２の第１のウォブルマーク４１２及び第２のウォブルマーク４１３に対してトラッキング方向へ１トラック分ずれて配置される。さらに、第４のマーク群の第１のウォブルマーク及び第２のウォブルマークは、第３のマーク群４３３の第１のウォブルマーク４１４及び第２のウォブルマーク４１５に対してトラッキング方向へ１トラック分ずれて配置される。
【０１１６】
これらのマーク群により、例えば、トラックａ２では、第１のウォブルマーク４１０のエッジと第２のウォブルマーク４１１のエッジとを利用してトラッキング信号を得ることができ、トラックｂ２では、第１のウォブルマーク４１２のエッジと第２のウォブルマーク４１３のエッジとを利用してトラッキング信号を得ることができる。各トラックには、第１のマーク群から第４のマーク群までのいずれかが必ず対応するため、任意のトラックでトラッキング信号を得ることができる。
【０１１７】
散乱体１０３がトリガーマーク４２１及び各ウォブルマークのエッジを通過する際のサンプリング方法は図１０（Ａ）及び図１０（Ｂ）を用いて説明した内容と同様であるため省略する。但し、各トラックがトラック群に分かれるため、トラック群の種類に応じて、所定距離Ｌ１及び所定距離Ｌ２が異なる。このため、タイミング調整回路１４２は、トラック群に応じて異なるトリガーマーク４２１からの距離に応じて、ウォブルマークを通過する時刻をずらしてタイミング調整したタイミングパルスを生成する。
【０１１８】
すなわち、まず、モータ３０６は、散乱体１０３をトラックに沿った方向へ所定の相対速度ｖで移動させる。次に、タイミング信号生成回路１４１は、散乱体１０３がトリガーマーク４２１を通過したことを検出する。次に、第１のサンプル及びホールド回路１４３は、タイミング信号生成回路１４１によって散乱体１０３がトリガーマーク４２１を通過したことが検出されてから、散乱体１０３が第１のウォブルマーク４１０のエッジを通過するまでの第１の時刻ｔ１＝Ｌ１／ｖにおいて散乱体１０３と第１のウォブルマーク４１０のエッジとの距離に応じて検出される信号の値を第１の信号値として保持する。なお、トリガーマーク４２１から第１のウォブルマーク４１０のエッジまでのトラックに沿った方向の距離Ｌ１は、予め記憶されている。
【０１１９】
次に、第２のサンプル及びホールド回路１４４は、タイミング信号生成回路１４１によって散乱体１０３がトリガーマーク４２１を通過したことが検出されてから、散乱体１０３が第２のウォブルマーク４１１のエッジを通過するまでの第２の時刻ｔ２＝Ｌ２／ｖにおいて散乱体１０３と第２のウォブルマーク４１１のエッジとの距離に応じて検出される信号の値を第２の信号値として保持する。なお、トリガーマーク４２１から第２のウォブルマーク４１１のエッジまでのトラックに沿った方向の距離Ｌ２は、予め記憶されている。
【０１２０】
次に、差動演算回路１４５は、第１のサンプル及びホールド回路１４３によって保持された第１の信号値と、第２のサンプル及びホールド回路１４４によって保持された第２の信号値との差をトラッキング信号として算出する。
【０１２１】
同様に、トリガーマーク４２１と第１のウォブルマーク４１２のエッジとの距離Ｌ３、及びトリガーマーク４２１と第２のウォブルマーク４１３のエッジとの距離Ｌ４はそれぞれあらかじめ記憶されており、第２のウォブルマーク群４３２の検出をする場合には、タイミング調整回路１４２は、予め記憶されている距離Ｌ３，Ｌ４に基づいてタイミングを算出する。以降のウォブルマーク群についても同様にタイミングが算出される。
【０１２２】
本実施の形態の場合、トラッキング用のマークは、データ領域のデータ用マークに比べて大きい。そのため、トラッキング用のマークは、電子線描画（ＥＢ描画）法、フォーカスイオンビーム（ＦＩＢ）法、又は紫外線露光法等のフォトリソグラフにより作製することができ、マークの作製が容易となる。このため、小さなトラック間隔でマークが配置されたデータ領域でも安定したトラッキング信号を得ることが可能となる。
【０１２３】
また、このようにトラッキング用のマークを大きくすることが可能であるためトラッキング用のマークを従来の光スポットで識別することも可能になる。この場合、トラッキング制御は、従来の光ヘッドにより回折限界付近に集光した光スポットを用いて行い、情報の記録又は再生は、散乱体である金属アンテナ等を用いて行ってもよい。この時の光スポットは、散乱体に光を照射するための光導波路の端部から出射した光を集光させたものであっても良い。
【０１２４】
なお、本実施の形態では、トラッキング用のマークが４つのマーク群に分かれる例を示したが、これに限るものではない。トラッキング用のマークは、２つのマーク群又は３つのマーク群に分けてもよいし、５つ以上のマーク群に分けてもよい。
【０１２５】
なお、本実施の形態において、トリガーマーク４２１が第１のマークの一例に相当し、第１のウォブルマーク４１０が第２のマークの一例に相当し、第２のウォブルマーク４１１が第３のマークの一例に相当し、散乱体１０３が散乱体の一例に相当し、データ用マーク４２０が記録マークの一例に相当する。
【０１２６】
（実施の形態３）
更に、実施の形態３における情報記録媒体について述べる。図３８は、実施の形態３における情報記録媒体を部分的に拡大した上面図である。図３８の部分拡大図では、情報記録媒体としての光ディスク５００のトラック群５０１とトラッキング用のサーボ領域５０３とを示している。
【０１２７】
光ディスク５００は、データ領域５０２及びサーボ領域５０３を備える。データ領域５０２には、列状に形成された複数のデータ用マーク５２０により、情報が記録されている。サーボ領域５０３には、データ用マーク５２０の作製及びトラッキングサーボに用いられるガイドマーク５１０，５１１，５１２が形成されている。
【０１２８】
光ディスク５００は、データ用マーク５２０と、ガイドマーク５１０，５１１，５１２とを備える。データ用マーク５２０は、トラックの中心に配置され、自己組織化法により作製される。ガイドマーク５１０，５１１，５１２は、データ用マーク５２０が自己組織化法により作製される際にデータ用マーク５２０が所定の位置に配列されるように規制する。
【０１２９】
ガイドマーク５１０は、データ用マーク５２０が配置されるデータ領域側に自己組織化の配列を規制するための第１の屈曲部５３１と、データ領域側とは反対側に第１の屈曲部５３１と対になる第２の屈曲部５３２とを有している。
【０１３０】
第１の屈曲部５３１は、トラックの中心からトラッキング方向へ所定距離Δだけ離れた位置に配置される。第２の屈曲部５３２は、トラック中心から第１の屈曲部５３１とは反対側のトラッキング方向へ所定距離Δだけ離れた位置に配置される。第１の屈曲部５３１及び第２の屈曲部５３２は、光情報装置に設けられた散乱体に光が照射されることにより、散乱体１０３と各屈曲部との距離に応じた散乱光を発生させる。所定距離Δは、５０ｎｍより小さい。
【０１３１】
光ディスク５００は、第１のガイドマーク５１０と、トラックに沿った方向に第１のガイドマーク５１０に並列に配置される第２のガイドマーク５１１とを含む。
【０１３２】
第１のガイドマーク５１０が有する第１の屈曲部５３１と、第２のガイドマーク５１１が有する第１の屈曲部５４１とは、トラック間隔だけ離れている。また、第１のガイドマーク５１０が有する第２の屈曲部５３２と、第２のガイドマーク５１１が有する第２の屈曲部５４２とは、トラック間隔だけ離れている。
【０１３３】
データ領域５０２のデータ用マーク５２０は非常に小さく、従来のフォトリソグラフ法では作製が難しい。このため、微小粒子が特定の大きさ及び形状で孤立化して安定する構造を用い、自己組織化的にデータ用マークを作製する方法が提案されている。この自己組織化方法が用いられ、投影形状が円形に近い点対象性を有している場合、配列されたマークは、１つのマークの周りに６つのマークが配置される。隣接する６つのマークの中心を結ぶと正六角形になる。このようなマークを高密度でトラック状に所望の場所に配置するためには、自己組織化を開始する端部においてガイドとなる構造をあらかじめ作製しておく必要がある。第１のガイドマーク５１０は、自己組織化方法によりデータ用マークを作製する際のガイド機能を兼ねている。
【０１３４】
第１のガイドマーク５１０のデータ領域５０２側のエッジ５２１は、トラックｂ１からトラックｆ１までに相当する５つのトラックがちょうど収まる凹部５５０を有し、凹部５５０の次の凹部５５１はトラックｂ３から始まるように配置される。このように、第１のガイドマーク５１０のデータ領域５０２側のエッジ５２１には、トラッキング方向に並んだ複数の凹部が形成されている。
【０１３５】
第１のガイドマーク５１０の一方のエッジ５２１と対となる他方のエッジ５２２は、エッジ５２１と相補的な形状をしている。すなわち、エッジ５２１の凹部の始まりである第１の屈曲部５３１はエッジ５２２の凹部の終りである第２の屈曲部５３２と対になり、第１の屈曲部５３１と第２の屈曲部５３２とは、トラックａ１を挟んで配置される。また、エッジ５２１の凹部の終りの第３の屈曲部５３３は、エッジ５２２の凹部の始まりの第４の屈曲部５３４と対になり、第３の屈曲部５３３と第４の屈曲部５３４とは、トラックａ２を挟んで配置される。
【０１３６】
このように、複数のトラックのうち第１のトラック群ａに属するトラックａ１，ａ２，ａ３，・・・は、第１のガイドマーク５１０の両エッジの屈曲部により挟まれる。同様に、複数のトラックのうち第２のトラック群ｂに属するトラックｂ１，ｂ２，ｂ３，・・・は、第２のガイドマーク５１１の両エッジの屈曲部により挟まれる。さらに同様に、第３のトラック群ｃ、第４のトラック群ｄ、第５のトラック群ｅ及び第６のトラック群ｆに属するトラックは、第３〜第６のガイドマークの両エッジの屈曲部による挟まれる。なお、図３８では、第１〜第３のガイドマーク５１０，５１１，５１２のみを図示しているが、実際には、さらに第４〜第６のガイドマークが配置される。
【０１３７】
このような第１〜第６のガイドマークにおいて、各トラックに対応する２つの屈曲部は、トラックの中心からそれぞれ同じ距離だけ離れて配置される。このことにより、散乱体が或るトラックに追従しているときに、散乱体の位置が当該トラックの中心からずれた場合、２つの屈曲部の一方とは近接し他方とは離間する。散乱体と屈曲部との距離の差は、散乱体からの散乱光に基づいて得られる信号の差として検出可能である。散乱体が２つの屈曲部の最近傍を通過するタイミングを決定し、決定したタイミングで検出される２つの信号の値をサンプリングして保持し、２つの信号の値の差分を算出することでトラッキング信号を得ることができる。
【０１３８】
ここで、実施の形態３における光情報装置の動作について簡単に説明する。まず、モータ３０６は、散乱体をトラックに沿った方向へ所定の相対速度ｖで移動させる。次に、第１のサンプル及びホールド回路１４３は、散乱体が第１の屈曲部５３１を通過したときの散乱体と第１の屈曲部５３１との距離に応じて検出される信号の値を第１の信号値として保持する。なお、本実施の形態３では、トリガーマークが存在しない。そのため、タイミング信号生成回路１４１は、散乱体１０３が第１の屈曲部５３１を通過したことを検出すると、タイミング信号を第１のサンプル及びホールド回路１４３へ出力する。第１のサンプル及びホールド回路１４３は、タイミング信号生成回路１４１からのタイミング信号が入力されると、検出器１０５によって検出された信号の値を第１の信号値として保持する。
【０１３９】
次に、第２のサンプル及びホールド回路１４４は、散乱体が第２の屈曲部５３２を通過したときの散乱体と第２の屈曲部５３２との距離に応じて検出される信号の値を第２の信号値として保持する。タイミング信号生成回路１４１は、散乱体１０３が第２の屈曲部５３２を通過したことを検出すると、タイミング信号を第２のサンプル及びホールド回路１４４へ出力する。第２のサンプル及びホールド回路１４４は、タイミング信号生成回路１４１からのタイミング信号が入力されると、検出器１０５によって検出された信号の値を第２の信号値として保持する。
【０１４０】
次に、差動演算回路１４５は、第１のサンプル及びホールド回路１４３によって保持された第１の信号値と、第２のサンプル及びホールド回路１４４によって保持された第２の信号値との差をトラッキング信号として算出する。
【０１４１】
本実施の形態では、ガイドマークが、自己組織化法でデータ用マークを作製する際のガイドと、トラッキング用のマークとを兼ねることができ、トラックの位置は自己組織化法でデータ用マークを作製する際のガイド位置により決まるので、トラッキング用のマークとトラックとの配置誤差が生じ難いという利点がある。
【０１４２】
なお、本実施の形態において、データ用マーク５２０が記録マークの一例に相当し、ガイドマーク５１０，５１１，５１２がガイドマークの一例に相当し、第１の屈曲部５３１が第１の屈曲部の一例に相当し、第２の屈曲部５３２が第２の屈曲部の一例に相当し、散乱体１０３が散乱体の一例に相当し、第１のガイドマーク５１０が第１のガイドマークの一例に相当し、第２のガイドマーク５１１が第２のガイドマークの一例に相当する。
【０１４３】
（実施の形態４）
更に、実施の形態４における情報記録媒体について述べる。図３９（Ａ）は、実施の形態４における情報記録媒体を部分的に拡大した上面図であり、図３９（Ｂ）は、図３９（Ａ）に示すマークの配置に対して、散乱体がトラックの中心上を移動した場合に検出される信号を示す図である。
【０１４４】
図３９（Ａ）の部分拡大図では、情報記録媒体としての光ディスク６００のトラックとトラッキング用のサーボ領域とを示している。本実施の形態では、トラッキング用の第１のウォブルマークと第２のウォブルマークとがそれぞれ複数ある例について説明する。
【０１４５】
光ディスク６００は、データ領域６１０及びサーボ領域６１３を備える。データ領域６１０には、列状に形成された複数のデータ用マーク６２０により、情報が記録されている。サーボ領域６１３には、トラッキングサーボに用いられるトリガーマーク６２１、複数の第１のウォブルマーク６２２及び複数の第２のウォブルマーク６２３が形成されている。
【０１４６】
光ディスク６００は、トリガーマーク６２１、複数の第１のウォブルマーク６２２及び複数の第２のウォブルマーク６２３を備える。トリガーマーク６２１は、トラッキング制御を開始するためのトリガーの役割を持っており、複数の第１のウォブルマーク６２２及び複数の第２のウォブルマーク６２３を通過するタイミングを決めるための基準となる。トリガーマーク６２１は、トラックの中心に配置される。
【０１４７】
複数の第１のウォブルマーク６２２は、トラックの中心からトラッキング方向へ所定距離ｂ１だけ離れ、トラックに沿った方向へ所定の間隔で配置される。複数の第２のウォブルマーク６２３は、トラックの中心から複数の第１のウォブルマーク６２２とは反対側のトラッキング方向へ所定距離ｂ２だけ離れ、トラックに沿った方向へ複数の第１のウォブルマーク６２２と同じ間隔で配置される。
【０１４８】
複数の第１のウォブルマーク６２２及び複数の第２のウォブルマーク６２３は、光情報装置に設けられた散乱体に光が照射されることにより、散乱体１０３と各マークとの距離に応じた散乱光を発生させる。所定距離ｂ１及び所定距離ｂ２は、５０ｎｍより小さい。
【０１４９】
データ領域６１０内の各トラックには、データ用マーク６２０が配置される。サーボ領域６１３では、トリガーマーク６２１、第１のウォブルマーク群６１１及び第２のウォブルマーク群６１２が配置される。第１のウォブルマーク群６１１に属する複数の第１のウォブルマーク６２２は、トラック６０２の中心から所定距離ｂ１だけ離れて配置される。第２のウォブルマーク群６１２に属する複数の第２のウォブルマーク６２３は、トラック６０２の中心から複数の第１のウォブルマーク６２２とは反対側のトラッキング方向へ所定距離ｂ２だけ離れて配置される。なお、本実施の形態では、光ディスク６００は、３つの第１のウォブルマーク６２２と、３つの第２のウォブルマーク６２３とを備える。
【０１５０】
このように配置されたトリガーマーク６２１、複数の第１のウォブルマーク６２２及び複数の第２のウォブルマーク６２３に対して散乱体１０３がトラック６０２上を通過する場合、図３９（Ｂ）に示すような信号が検出される。トラッキング信号は、散乱体１０３が第１のウォブルマーク群６１１を通過する時に得られるＡＣ信号の振幅ａｃ１１と、散乱体１０３が第２のウォブルマーク群６１２を通過する時に得られるＡＣ信号の振幅ａｃ１２との差に基づいて生成する。散乱体１０３がトラックの中心からずれた場合、散乱体１０３が近づいた側の複数のウォブルマークに基づいて検出されるＡＣ信号の振幅は増加し、散乱体１０３が離れた側の複数のウォブルマークに基づいて検出されるＡＣ信号の振幅は減少する。このため、オフトラック量を、極性を含めて検出することが可能となる。
【０１５１】
ここで、実施の形態４における光情報装置の動作について簡単に説明する。まず、モータ３０６は、散乱体１０３をトラックに沿った方向へ所定の相対速度ｖで移動させる。次に、タイミング信号生成回路１４１は、散乱体１０３がトリガーマーク６２１を通過したことを検出する。
【０１５２】
次に、第１のサンプル及びホールド回路１４３は、タイミング信号生成回路１４１によって散乱体１０３がトリガーマーク６２１を通過したことが検出された後、散乱体１０３が第１のウォブルマーク群６１１を通過したときの散乱体１０３と第１のウォブルマーク群６１１との距離に応じて検出される信号の値を第１の信号値として保持する。
【０１５３】
このとき、タイミング調整回路１４２は、タイミング信号生成回路１４１によって散乱体１０３がトリガーマーク４２１を通過したことが検出されてから、散乱体１０３が第１のウォブルマーク群６１１の先頭の第１のウォブルマーク６２２を通過するまでの第１の時刻ｔ１＝Ｌ１／ｖを算出する。なお、Ｌ１は、トリガーマーク４２１から第１のウォブルマーク群６１１の先頭の第１のウォブルマーク６２２までの距離を表している。タイミング調整回路１４２は、算出した第１の時刻ｔ１になると、サンプリングパルスを第１のサンプル及びホールド回路１４３へ出力する。
【０１５４】
次に、第２のサンプル及びホールド回路１４４は、タイミング信号生成回路１４１によって散乱体１０３がトリガーマーク６２１を通過したことが検出された後、散乱体１０３が第２のウォブルマーク群６１２を通過したときの散乱体１０３と第２のウォブルマーク群６１２との距離に応じて検出される信号の値を第２の信号値として保持する。
【０１５５】
このとき、タイミング調整回路１４２は、タイミング信号生成回路１４１によって散乱体１０３がトリガーマーク４２１を通過したことが検出されてから、散乱体１０３が第２のウォブルマーク群６１２の先頭の第２のウォブルマーク６２３を通過するまでの第２の時刻ｔ２＝Ｌ２／ｖを算出する。なお、Ｌ２は、トリガーマーク４２１から第２のウォブルマーク群６１２の先頭の第２のウォブルマーク６２３までの距離を表している。タイミング調整回路１４２は、算出した第２の時刻ｔ２になると、サンプリングパルスを第２のサンプル及びホールド回路１４４へ出力する。
【０１５６】
次に、差動演算回路１４５は、第１のサンプル及びホールド回路１４３によって保持された第１の信号値と、第２のサンプル及びホールド回路１４４によって保持された第２の信号値との差をトラッキング信号として算出する。
【０１５７】
本実施の形態では、高速な信号再生のためにＡＣカップリングしたアンプが使用され、信号のＤＣ成分がカットされた場合でもＡＣ信号の振幅が用いられるため、トラッキング信号を精度よく検出することが可能である。
【０１５８】
なお、本実施の形態において、トリガーマーク６２１が第１のマークの一例に相当し、複数の第１のウォブルマーク６２２が複数の第２のマークの一例に相当し、複数の第２のウォブルマーク６２３が複数の第３のマークの一例に相当し、散乱体１０３が散乱体の一例に相当する。
【０１５９】
なお、上述した具体的実施形態には以下の構成を有する発明が主に含まれている。
【０１６０】
本発明の一局面に係る情報記録媒体は、トラックの中心に配置された第１のマークと、前記トラックの中心からトラッキング方向へ所定距離ｂ１だけ離れ、前記第１のマークから前記トラックに沿った方向へ所定距離Ｌ１だけ離れて配置された第２のマークと、前記トラックの中心から前記第２のマークとは反対側のトラッキング方向へ所定距離ｂ２だけ離れ、前記第１のマークから前記トラックに沿った方向へ所定距離Ｌ２だけ離れて配置された第３のマークとを備え、前記第２のマーク及び前記第３のマークは、光情報装置に設けられた散乱体に光が照射されることにより、前記散乱体と各マークとの距離に応じた散乱光を発生させ、前記所定距離ｂ１及び前記所定距離ｂ２は、５０ｎｍより小さく、前記所定距離Ｌ１と前記所定距離Ｌ２との差は、前記第１のマークの前記トラックに沿った方向の長さと前記第２のマークの前記トラックに沿った方向の長さとの和より大きい。
【０１６１】
この構成によれば、情報記録媒体は、トラックの中心に配置された第１のマークと、トラックの中心からトラッキング方向へ所定距離ｂ１だけ離れ、第１のマークからトラックに沿った方向へ所定距離Ｌ１だけ離れて配置された第２のマークと、トラックの中心から第２のマークとは反対側のトラッキング方向へ所定距離ｂ２だけ離れ、第１のマークからトラックに沿った方向へ所定距離Ｌ２だけ離れて配置された第３のマークとを備える。そして、第２のマーク及び第３のマークは、光情報装置に設けられた散乱体に光が照射されることにより、散乱体と各マークとの距離に応じた散乱光を発生させる。所定距離ｂ１及び所定距離ｂ２は、５０ｎｍより小さい。所定距離Ｌ１と所定距離Ｌ２との差は、第１のマークのトラックに沿った方向の長さと第２のマークのトラックに沿った方向の長さとの和より大きい。
【０１６２】
したがって、第２のマークと第３のマークとをトラッキング方向へ互いにずらして配置し、散乱体が第２のマークに接近したときの散乱光の強度と、散乱体が第３のマークに接近したときの散乱光の強度とに基づいてトラッキング信号が生成されるので、光の回折限界より狭いトラック間隔のトラックに安定にトラッキングを行うことができる。
【０１６３】
本発明の他の局面に係る情報記録媒体は、トラックの中心に配置された第１のマークと、前記トラックの中心からトラッキング方向へ所定距離Δだけ離れた位置にエッジを有するように配置された第２のマークと、前記トラックの中心から前記第２のマークとは反対側のトラッキング方向へ前記所定距離Δだけ離れた位置にエッジを有するように配置された第３のマークとを備え、前記第２のマーク及び前記第３のマークのトラッキング方向の幅は、トラック間隔より大きく、前記第２のマーク及び前記第３のマークは、光情報装置に設けられた散乱体に光が照射されることにより、前記散乱体と各マークのエッジとの距離に応じた散乱光を発生させ、前記所定距離Δは、５０ｎｍより小さい。
【０１６４】
この構成によれば、情報記録媒体は、トラックの中心に配置された第１のマークと、トラックの中心からトラッキング方向へ所定距離Δだけ離れた位置にエッジを有するように配置された第２のマークと、トラックの中心から第２のマークとは反対側のトラッキング方向へ所定距離Δだけ離れた位置にエッジを有するように配置された第３のマークとを備える。そして、第２のマーク及び第３のマークのトラッキング方向の幅は、トラック間隔より大きい。第２のマーク及び第３のマークは、光情報装置に設けられた散乱体に光が照射されることにより、散乱体と各マークのエッジとの距離に応じた散乱光を発生させる。所定距離Δは、５０ｎｍより小さい。
【０１６５】
したがって、第２のマークのエッジと第３のマークのエッジとをトラッキング方向へ互いにずらして配置し、散乱体が第２のマークのエッジに接近したときの散乱光の強度と、散乱体が第３のマークのエッジに接近したときの散乱光の強度とに基づいてトラッキング信号が生成されるので、光の回折限界より狭いトラック間隔のトラックに安定にトラッキングを行うことができる。
【０１６６】
また、上記の情報記録媒体において、前記第２のマーク及び前記第３のマークは、前記第１のマークからの距離に応じて複数のグループに分類され、同一グループに属する前記第２のマーク及び前記第３のマークは、所定の周期で繰り返し配置されることが好ましい。
【０１６７】
この構成によれば、第２のマーク及び第３のマークは、第１のマークからの距離に応じて複数のグループに分類され、同一グループに属する第２のマーク及び第３のマークは、所定の周期で繰り返し配置される。
【０１６８】
したがって、トラッキング方向の幅がトラック間隔より大きい第２のマーク及び第３のマークの各エッジを全てのトラックに対して配置することができる。
【０１６９】
また、上記の情報記録媒体において、自己組織化法により作製され、情報を記録するための記録マークをさらに備えることが好ましい。
【０１７０】
この構成によれば、情報を記録するための記録マークが自己組織化法により作製されるので、微小な記録マークを作製することができ、情報を高密度に記録することができる。
【０１７１】
また、上記の情報記録媒体において、前記第２のマーク又は前記第３のマークは、前記記録マークが前記自己組織化法により作製される際に前記記録マークをガイドし、前記記録マークの配列を規制することが好ましい。
【０１７２】
この構成によれば、第２のマーク又は第３のマークは、記録マークが自己組織化法により作製される際に記録マークをガイドし、記録マークの配列を規制する。
【０１７３】
したがって、トラックの位置は自己組織化法でデータ用マークを作製する際のガイド位置により決まるので、第２のマーク又は第３のマークとトラックとの配置誤差を少なくすることができる。
【０１７４】
本発明の他の局面に係る情報記録媒体は、トラックの中心に配置され、自己組織化法により作製され、情報を記録するための記録マークと、前記記録マークが前記自己組織化法により作製される際に前記記録マークが所定の位置に配列されるように規制するガイドマークとを備え、前記ガイドマークは、前記記録マークが配置されるデータ領域側に自己組織化の配列を規制するための第１の屈曲部と、前記データ領域側とは反対側に前記第１の屈曲部と対になる第２の屈曲部とを有し、前記第１の屈曲部は、前記トラックの中心からトラッキング方向へ所定距離Δだけ離れた位置に配置され、前記第２の屈曲部は、前記トラック中心から前記第１の屈曲部とは反対側のトラッキング方向へ前記所定距離Δだけ離れた位置に配置され、前記第１の屈曲部及び前記第２の屈曲部は、光情報装置に設けられた散乱体に光が照射されることにより、前記散乱体と各屈曲部との距離に応じた散乱光を発生させ、前記所定距離Δは、５０ｎｍより小さい。
【０１７５】
この構成によれば、情報記録媒体は、トラックの中心に配置され、自己組織化法により作製され、情報を記録するための記録マークと、記録マークが自己組織化法により作製される際に記録マークが所定の位置に配列されるように規制するガイドマークとを備える。ガイドマークは、記録マークが配置されるデータ領域側に自己組織化の配列を規制するための第１の屈曲部と、データ領域側とは反対側に第１の屈曲部と対になる第２の屈曲部とを有している。第１の屈曲部は、トラックの中心からトラッキング方向へ所定距離Δだけ離れた位置に配置される。第２の屈曲部は、トラック中心から第１の屈曲部とは反対側のトラッキング方向へ所定距離Δだけ離れた位置に配置される。第１の屈曲部及び第２の屈曲部は、光情報装置に設けられた散乱体に光が照射されることにより、散乱体と各屈曲部との距離に応じた散乱光を発生させる。所定距離Δは、５０ｎｍより小さい。
【０１７６】
したがって、ガイドマークの第１の屈曲部と第２の屈曲部とをトラッキング方向へ互いにずらして配置し、散乱体が第１の屈曲部に接近したときの散乱光の強度と、散乱体が第２の屈曲部に接近したときの散乱光の強度とに基づいてトラッキング信号が生成されるので、光の回折限界より狭いトラック間隔のトラックに安定にトラッキングを行うことができる。
【０１７７】
また、上記の情報記録媒体において、前記ガイドマークは、第１のガイドマークと、トラックに沿った方向に前記第１のガイドマークに並列に配置される第２のガイドマークとを含み、前記第１のガイドマークが有する前記第１の屈曲部と、前記第２のガイドマークが有する前記第１の屈曲部とは、トラック間隔だけ離れており、前記第１のガイドマークが有する前記第２の屈曲部と、前記第２のガイドマークが有する前記第２の屈曲部とは、トラック間隔だけ離れていることが好ましい。
【０１７８】
この構成によれば、ガイドマークは、第１のガイドマークと、トラックに沿った方向に第１のガイドマークに並列に配置される第２のガイドマークとを含む。第１のガイドマークが有する第１の屈曲部と、第２のガイドマークが有する第１の屈曲部とは、トラック間隔だけ離れており、第１のガイドマークが有する第２の屈曲部と、第２のガイドマークが有する第２の屈曲部とは、トラック間隔だけ離れている。
【０１７９】
したがって、第１の屈曲部及び第２の屈曲部を複数のトラックに対して配置することができる。
【０１８０】
本発明の他の局面に係る情報記録媒体は、トラックの中心に配置された第１のマークと、前記トラックの中心からトラッキング方向へ所定距離ｂ１だけ離れ、前記トラックに沿った方向へ所定の間隔で配置された複数の第２のマークと、前記トラックの中心から前記複数の第２のマークとは反対側のトラッキング方向へ所定距離ｂ２だけ離れ、前記トラックに沿った方向へ前記複数の第２のマークと同じ間隔で配置された複数の第３のマークとを備え、前記複数の第２のマーク及び前記複数の第３のマークは、光情報装置に設けられた散乱体に光が照射されることにより、前記散乱体と各マークとの距離に応じた散乱光を発生させ、前記所定距離ｂ１及び前記所定距離ｂ２は、５０ｎｍより小さい。
【０１８１】
この構成によれば、情報記録媒体は、トラックの中心に配置された第１のマークと、トラックの中心からトラッキング方向へ所定距離ｂ１だけ離れ、トラックに沿った方向へ所定の間隔で配置された複数の第２のマークと、トラックの中心から複数の第２のマークとは反対側のトラッキング方向へ所定距離ｂ２だけ離れ、トラックに沿った方向へ複数の第２のマークと同じ間隔で配置された複数の第３のマークとを備える。複数の第２のマーク及び複数の第３のマークは、光情報装置に設けられた散乱体に光が照射されることにより、散乱体と各マークとの距離に応じた散乱光を発生させる。所定距離ｂ１及び所定距離ｂ２は、５０ｎｍより小さい。
【０１８２】
したがって、複数の第２のマークと複数の第３のマークとをトラッキング方向へ互いにずらして配置し、散乱体が複数の第２のマークに接近したときの散乱光の強度と、散乱体が複数の第３のマークに接近したときの散乱光の強度とに基づいてトラッキング信号が生成されるので、光の回折限界より狭いトラック間隔のトラックに安定にトラッキングを行うことができる。
【０１８３】
また、上記の情報記録媒体において、前記散乱体は、金属で形成されることが好ましい。この構成によれば、散乱体は、金属で形成されるので、容易に加工することができ、所望の共鳴状態に応じた種類の金属を選択することができる。
【０１８４】
また、上記の情報記録媒体において、前記散乱体の形状は、球形状を含むことが好ましい。この構成によれば、散乱体の形状は、球形状を含むので、所望の共鳴状態に応じた形状の散乱体を選択することができる。
【０１８５】
また、上記の情報記録媒体において、前記散乱体の形状は、円柱形状を含むことが好ましい。この構成によれば、散乱体の形状は、円柱形状を含むので、所望の共鳴状態に応じた形状の散乱体を選択することができる。
【０１８６】
また、上記の情報記録媒体において、前記散乱体の形状は、三角錐形状を含むことが好ましい。この構成によれば、散乱体の形状は、三角錐形状を含むので、所望の共鳴状態に応じた形状の散乱体を選択することができる。
【０１８７】
また、上記の情報記録媒体において、前記散乱体の形状は、三角柱形状を含むことが好ましい。この構成によれば、散乱体の形状は、三角柱形状を含むので、所望の共鳴状態に応じた形状の散乱体を選択することができる。
【０１８８】
また、上記の情報記録媒体において、前記散乱体の形状は、円錐形状を含むことが好ましい。この構成によれば、散乱体の形状は、円錐形状を含むので、所望の共鳴状態に応じた形状の散乱体を選択することができる。
【０１８９】
また、上記の情報記録媒体において、前記第１のマーク、前記第２のマーク及び前記第３のマークは、金属層を含むことが好ましい。この構成によれば、第１のマーク、第２のマーク及び第３のマークは、金属層を含むので、所望の共鳴状態に応じた種類の金属を選択することができる。
【０１９０】
また、上記の情報記録媒体において、前記第１のマーク、前記第２のマーク及び前記第３のマークの形状は、半球形状又は半長球形状を含むことが好ましい。この構成によれば、情報記録媒体上に、半球形状又は半長球形状の第１のマーク、第２のマーク及び第３のマークを形成することができる。
【０１９１】
また、上記の情報記録媒体において、前記第１のマーク、前記第２のマーク及び前記第３のマークの形状は、円柱形状又は長円柱形状を含むことが好ましい。この構成によれば、情報記録媒体上に、円柱形状又は長円柱形状の第１のマーク、第２のマーク及び第３のマークを形成することができる。
【０１９２】
本発明の他の局面に係るトラッキング方法は、情報記録媒体に情報を記録又は再生する光情報装置におけるトラッキング方法であって、前記情報記録媒体は、トラックの中心に配置された第１のマークと、前記トラックの中心からトラッキング方向へ所定距離ｂ１だけ離れ、前記第１のマークから前記トラックに沿った方向へ所定距離Ｌ１だけ離れて配置された第２のマークと、前記トラックの中心から前記第２のマークとは反対側のトラッキング方向へ所定距離ｂ２だけ離れ、前記第１のマークから前記トラックに沿った方向へ所定距離Ｌ２だけ離れて配置された第３のマークとを備え、前記第２のマーク及び前記第３のマークは、光情報装置に設けられた散乱体に光が照射されることにより、前記散乱体と各マークとの距離に応じた散乱光を発生させ、前記所定距離ｂ１及び前記所定距離ｂ２は、５０ｎｍより小さく、前記所定距離Ｌ１と前記所定距離Ｌ２との差は、前記第１のマークの前記トラックに沿った方向の長さと前記第２のマークの前記トラックに沿った方向の長さとの和より大きく、前記トラッキング方法は、前記散乱体を前記トラックに沿った方向へ所定の相対速度ｖで移動させる移動ステップと、前記散乱体が前記第１のマークを通過したことを検出する検出ステップと、前記検出ステップにおいて前記散乱体が前記第１のマークを通過したことが検出されてから、前記散乱体が前記第２のマークを通過するまでの第１の時刻ｔ１＝Ｌ１／ｖにおいて前記散乱体と前記第２のマークとの距離に応じて検出される信号の値を第１の信号値として保持する第１の保持ステップと、前記検出ステップにおいて前記散乱体が前記第１のマークを通過したことが検出されてから、前記散乱体が前記第３のマークを通過するまでの第２の時刻ｔ２＝Ｌ２／ｖにおいて前記散乱体と前記第３のマークとの距離に応じて検出される信号の値を第２の信号値として保持する第２の保持ステップと、前記第１の信号値と前記第２の信号値との差をトラッキング信号として算出するトラッキング信号算出ステップとを含む。
【０１９３】
この構成によれば、情報記録媒体は、トラックの中心に配置された第１のマークと、トラックの中心からトラッキング方向へ所定距離ｂ１だけ離れ、第１のマークからトラックに沿った方向へ所定距離Ｌ１だけ離れて配置された第２のマークと、トラックの中心から第２のマークとは反対側のトラッキング方向へ所定距離ｂ２だけ離れ、第１のマークからトラックに沿った方向へ所定距離Ｌ２だけ離れて配置された第３のマークとを備える。第２のマーク及び第３のマークは、光情報装置に設けられた散乱体に光が照射されることにより、散乱体と各マークとの距離に応じた散乱光を発生させる。所定距離ｂ１及び所定距離ｂ２は、５０ｎｍより小さい。所定距離Ｌ１と所定距離Ｌ２との差は、第１のマークのトラックに沿った方向の長さと第２のマークのトラックに沿った方向の長さとの和より大きい。そして、移動ステップにおいて、散乱体がトラックに沿った方向へ所定の相対速度ｖで移動される。検出ステップにおいて、散乱体が第１のマークを通過したことが検出される。第１の保持ステップにおいて、検出ステップで散乱体が第１のマークを通過したことが検出されてから、散乱体が第２のマークを通過するまでの第１の時刻ｔ１＝Ｌ１／ｖにおいて散乱体と第２のマークとの距離に応じて検出される信号の値が第１の信号値として保持される。第２の保持ステップにおいて、検出ステップで散乱体が第１のマークを通過したことが検出されてから、散乱体が第３のマークを通過するまでの第２の時刻ｔ２＝Ｌ２／ｖにおいて散乱体と第３のマークとの距離に応じて検出される信号の値が第２の信号値として保持される。トラッキング信号算出ステップにおいて、第１の信号値と第２の信号値との差がトラッキング信号として算出される。
【０１９４】
したがって、第２のマークと第３のマークとをトラッキング方向へ互いにずらして配置し、散乱体が第２のマークに接近したときの散乱光の強度と、散乱体が第３のマークに接近したときの散乱光の強度とに基づいてトラッキング信号が生成されるので、光の回折限界より狭いトラック間隔のトラックに安定にトラッキングを行うことができる。
【０１９５】
本発明の他の局面に係る光情報装置は、情報記録媒体に情報を記録又は再生する光情報装置であって、前記情報記録媒体は、トラックの中心に配置された第１のマークと、前記トラックの中心からトラッキング方向へ所定距離ｂ１だけ離れ、前記第１のマークから前記トラックに沿った方向へ所定距離Ｌ１だけ離れて配置された第２のマークと、前記トラックの中心から前記第２のマークとは反対側のトラッキング方向へ所定距離ｂ２だけ離れ、前記第１のマークから前記トラックに沿った方向へ所定距離Ｌ２だけ離れて配置された第３のマークとを備え、前記第２のマーク及び前記第３のマークは、光情報装置に設けられた散乱体に光が照射されることにより、前記散乱体と各マークとの距離に応じた散乱光を発生させ、前記所定距離ｂ１及び前記所定距離ｂ２は、５０ｎｍより小さく、前記所定距離Ｌ１と前記所定距離Ｌ２との差は、前記第１のマークの前記トラックに沿った方向の長さと前記第２のマークの前記トラックに沿った方向の長さとの和より大きく、前記光情報装置は、前記散乱体を前記トラックに沿った方向へ所定の相対速度ｖで移動させる移動部と、前記散乱体が前記第１のマークを通過したことを検出する検出部と、前記検出部によって前記散乱体が前記第１のマークを通過したことが検出されてから、前記散乱体が前記第２のマークを通過するまでの第１の時刻ｔ１＝Ｌ１／ｖにおいて前記散乱体と前記第２のマークとの距離に応じて検出される信号の値を第１の信号値として保持する第１の保持部と、前記検出部によって前記散乱体が前記第１のマークを通過したことが検出されてから、前記散乱体が前記第３のマークを通過するまでの第２の時刻ｔ２＝Ｌ２／ｖにおいて前記散乱体と前記第３のマークとの距離に応じて検出される信号の値を第２の信号値として保持する第２の保持部と、前記第１の信号値と前記第２の信号値との差をトラッキング信号として算出するトラッキング信号算出部とを備える。
【０１９６】
この構成によれば、情報記録媒体は、トラックの中心に配置された第１のマークと、トラックの中心からトラッキング方向へ所定距離ｂ１だけ離れ、第１のマークからトラックに沿った方向へ所定距離Ｌ１だけ離れて配置された第２のマークと、トラックの中心から第２のマークとは反対側のトラッキング方向へ所定距離ｂ２だけ離れ、第１のマークからトラックに沿った方向へ所定距離Ｌ２だけ離れて配置された第３のマークとを備える。第２のマーク及び第３のマークは、光情報装置に設けられた散乱体に光が照射されることにより、散乱体と各マークとの距離に応じた散乱光を発生させる。所定距離ｂ１及び所定距離ｂ２は、５０ｎｍより小さい。所定距離Ｌ１と所定距離Ｌ２との差は、第１のマークのトラックに沿った方向の長さと第２のマークのトラックに沿った方向の長さとの和より大きい。そして、移動部は、散乱体をトラックに沿った方向へ所定の相対速度ｖで移動させる。検出部は、散乱体が第１のマークを通過したことを検出する。第１の保持部は、検出部によって散乱体が第１のマークを通過したことが検出されてから、散乱体が第２のマークを通過するまでの第１の時刻ｔ１＝Ｌ１／ｖにおいて散乱体と第２のマークとの距離に応じて検出される信号の値を第１の信号値として保持する。第２の保持部は、検出部によって散乱体が第１のマークを通過したことが検出されてから、散乱体が第３のマークを通過するまでの第２の時刻ｔ２＝Ｌ２／ｖにおいて散乱体と第３のマークとの距離に応じて検出される信号の値を第２の信号値として保持する。トラッキング信号算出部は、第１の信号値と第２の信号値との差をトラッキング信号として算出する。
【０１９７】
したがって、第２のマークと第３のマークとをトラッキング方向へ互いにずらして配置し、散乱体が第２のマークに接近したときの散乱光の強度と、散乱体が第３のマークに接近したときの散乱光の強度とに基づいてトラッキング信号が生成されるので、光の回折限界より狭いトラック間隔のトラックに安定にトラッキングを行うことができる。
【０１９８】
本発明の他の局面に係るトラッキング方法は、情報記録媒体に情報を記録又は再生する光情報装置におけるトラッキング方法であって、前記情報記録媒体は、トラックの中心に配置された第１のマークと、前記トラックの中心からトラッキング方向へ所定距離Δだけ離れた位置にエッジを有するように配置された第２のマークと、前記トラックの中心から前記第２のマークとは反対側のトラッキング方向へ前記所定距離Δだけ離れた位置にエッジを有するように配置された第３のマークとを備え、前記第２のマーク及び前記第３のマークのトラッキング方向の幅は、トラック間隔より大きく、前記第２のマーク及び前記第３のマークは、光情報装置に設けられた散乱体に光が照射されることにより、前記散乱体と各マークのエッジとの距離に応じた散乱光を発生させ、前記所定距離Δは、５０ｎｍより小さく、前記トラッキング方法は、前記散乱体を前記トラックに沿った方向へ所定の相対速度ｖで移動させる移動ステップと、前記散乱体が前記第１のマークを通過したことを検出する検出ステップと、前記検出ステップにおいて前記散乱体が前記第１のマークを通過したことが検出されてから、前記散乱体が前記第２のマークの前記エッジを通過するまでの第１の時刻ｔ１＝Ｌ１／ｖにおいて前記散乱体と前記第２のマークの前記エッジとの距離に応じて検出される信号の値を第１の信号値として保持する第１の保持ステップと、前記検出ステップにおいて前記散乱体が前記第１のマークを通過したことが検出されてから、前記散乱体が前記第３のマークの前記エッジを通過するまでの第２の時刻ｔ２＝Ｌ２／ｖにおいて前記散乱体と前記第３のマークの前記エッジとの距離に応じて検出される信号の値を第２の信号値として保持する第２の保持ステップと、前記第１の信号値と前記第２の信号値との差をトラッキング信号として算出するトラッキング信号算出ステップとを含む。
【０１９９】
本発明の他の局面に係る光情報装置は、情報記録媒体に情報を記録又は再生する光情報装置であって、前記情報記録媒体は、トラックの中心に配置された第１のマークと、前記トラックの中心からトラッキング方向へ所定距離Δだけ離れた位置にエッジを有するように配置された第２のマークと、前記トラックの中心から前記第２のマークとは反対側のトラッキング方向へ前記所定距離Δだけ離れた位置にエッジを有するように配置された第３のマークとを備え、前記第２のマーク及び前記第３のマークのトラッキング方向の幅は、トラック間隔より大きく、前記第２のマーク及び前記第３のマークは、光情報装置に設けられた散乱体に光が照射されることにより、散乱体と各マークのエッジとの距離に応じた散乱光を発生させ、前記所定距離Δは、５０ｎｍより小さく、前記光情報装置は、前記散乱体を前記トラックに沿った方向へ所定の相対速度ｖで移動させる移動部と、前記散乱体が前記第１のマークを通過したことを検出する検出部と、前記検出部によって前記散乱体が前記第１のマークを通過したことが検出されてから、前記散乱体が前記第２のマークの前記エッジを通過するまでの第１の時刻ｔ１＝Ｌ１／ｖにおいて前記散乱体と前記第２のマークの前記エッジとの距離に応じて検出される信号の値を第１の信号値として保持する第１の保持部と、前記検出部によって前記散乱体が前記第１のマークを通過したことが検出されてから、前記散乱体が前記第３のマークの前記エッジを通過するまでの第２の時刻ｔ２＝Ｌ２／ｖにおいて前記散乱体と前記第３のマークの前記エッジとの距離に応じて検出される信号の値を第２の信号値として保持する第２の保持部と、前記第１の信号値と前記第２の信号値との差をトラッキング信号として算出するトラッキング信号算出部とを備える。
【０２００】
本発明の他の局面に係るトラッキング方法は、情報記録媒体に情報を記録又は再生する光情報装置におけるトラッキング方法であって、前記情報記録媒体は、トラックの中心に配置され、自己組織化法により作製され、情報を記録するための記録マークと、前記記録マークが前記自己組織化法により作製される際に前記記録マークが所定の位置に配列されるように規制するガイドマークとを備え、前記ガイドマークは、前記記録マークが配置されるデータ領域側に自己組織化の配列を規制するための第１の屈曲部と、前記データ領域側とは反対側に前記第１の屈曲部と対になる第２の屈曲部とを有し、前記第１の屈曲部は、前記トラックの中心からトラッキング方向へ所定距離Δだけ離れた位置に配置され、前記第２の屈曲部は、前記トラック中心から前記第１の屈曲部とは反対側のトラッキング方向へ前記所定距離Δだけ離れた位置に配置され、前記第１の屈曲部及び前記第２の屈曲部は、光情報装置に設けられた散乱体に光が照射されることにより、前記散乱体と各屈曲部との距離に応じた散乱光を発生させ、前記所定距離Δは、５０ｎｍより小さく、前記トラッキング方法は、前記散乱体を前記トラックに沿った方向へ所定の相対速度ｖで移動させる移動ステップと、前記散乱体が前記第１の屈曲部を通過したときの前記散乱体と前記第１の屈曲部との距離に応じて検出される信号の値を第１の信号値として保持する第１の保持ステップと、前記散乱体が前記第２の屈曲部を通過したときの前記散乱体と前記第２の屈曲部との距離に応じて検出される信号の値を第２の信号値として保持する第２の保持ステップと、前記第１の信号値と前記第２の信号値との差をトラッキング信号として算出するトラッキング信号算出ステップとを含む。
【０２０１】
本発明の他の局面に係る光情報装置は、情報記録媒体に情報を記録又は再生する光情報装置であって、前記情報記録媒体は、トラックの中心に配置され、自己組織化法により作製され、情報を記録するための記録マークと、前記記録マークが前記自己組織化法により作製される際に前記記録マークが所定の位置に配列されるように規制するガイドマークとを備え、前記ガイドマークは、前記記録マークが配置されるデータ領域側に自己組織化の配列を規制するための第１の屈曲部と、前記データ領域側とは反対側に前記第１の屈曲部と対になる第２の屈曲部とを有し、前記第１の屈曲部は、前記トラックの中心からトラッキング方向へ所定距離Δだけ離れた位置に配置され、前記第２の屈曲部は、前記トラック中心から前記第１の屈曲部とは反対側のトラッキング方向へ前記所定距離Δだけ離れた位置に配置され、前記第１の屈曲部及び前記第２の屈曲部は、光情報装置に設けられた散乱体に光が照射されることにより、前記散乱体と各屈曲部との距離に応じた散乱光を発生させ、前記所定距離Δは、５０ｎｍより小さく、前記光情報装置は、前記散乱体を前記トラックに沿った方向へ所定の相対速度ｖで移動させる移動部と、前記散乱体が前記第１の屈曲部を通過したときの前記散乱体と前記第１の屈曲部との距離に応じて検出される信号の値を第１の信号値として保持する第１の保持部と、前記散乱体が前記第２の屈曲部を通過したときの前記散乱体と前記第２の屈曲部との距離に応じて検出される信号の値を第２の信号値として保持する第２の保持部と、前記第１の信号値と前記第２の信号値との差をトラッキング信号として算出するトラッキング信号算出部とを備える。
【０２０２】
本発明の他の局面に係るトラッキング方法は、情報記録媒体に情報を記録又は再生する光情報装置におけるトラッキング方法であって、前記情報記録媒体は、トラックの中心に配置された第１のマークと、前記トラックの中心からトラッキング方向へ所定距離ｂ１だけ離れ、前記トラックに沿った方向へ所定の間隔で配置された複数の第２のマークと、前記トラックの中心から前記複数の第２のマークとは反対側のトラッキング方向へ所定距離ｂ２だけ離れ、前記トラックに沿った方向へ前記複数の第２のマークと同じ間隔で配置された複数の第３のマークとを備え、前記複数の第２のマーク及び前記複数の第３のマークは、光情報装置に設けられた散乱体に光が照射されることにより、前記散乱体と各マークとの距離に応じた散乱光を発生させ、前記所定距離ｂ１及び前記所定距離ｂ２は、５０ｎｍより小さく、前記トラッキング方法は、前記散乱体を前記トラックに沿った方向へ所定の相対速度ｖで移動させる移動ステップと、前記散乱体が前記第１のマークを通過したことを検出する検出ステップと、前記検出ステップにおいて前記散乱体が前記第１のマークを通過したことが検出された後、前記散乱体が前記複数の第２のマークを通過したときの前記散乱体と前記複数の第２のマークとの距離に応じて検出される信号の値を第１の信号値として保持する第１の保持ステップと、前記検出ステップにおいて前記散乱体が前記第１のマークを通過したことが検出された後、前記散乱体が前記複数の第３のマークを通過したときの前記散乱体と前記複数の第３のマークとの距離に応じて検出される信号の値を第２の信号値として保持する第２の保持ステップと、前記第１の信号値と前記第２の信号値との差をトラッキング信号として算出するトラッキング信号算出ステップとを含む。
【０２０３】
本発明の他の局面に係る光情報装置は、情報記録媒体に情報を記録又は再生する光情報装置であって、前記情報記録媒体は、トラックの中心に配置された第１のマークと、前記トラックの中心からトラッキング方向へ所定距離ｂ１だけ離れ、前記トラックに沿った方向へ所定の間隔で配置された複数の第２のマークと、前記トラックの中心から前記複数の第２のマークとは反対側のトラッキング方向へ所定距離ｂ２だけ離れ、前記トラックに沿った方向へ前記複数の第２のマークと同じ間隔で配置された複数の第３のマークとを備え、前記複数の第２のマーク及び前記複数の第３のマークは、光情報装置に設けられた散乱体に光が照射されることにより、前記散乱体と各マークとの距離に応じた散乱光を発生させ、前記所定距離ｂ１及び前記所定距離ｂ２は、５０ｎｍより小さく、前記光情報装置は、前記散乱体を前記トラックに沿った方向へ所定の相対速度ｖで移動させる移動部と、前記散乱体が前記第１のマークを通過したことを検出する検出部と、前記検出部によって前記散乱体が前記第１のマークを通過したことが検出された後、前記散乱体が前記複数の第２のマークを通過したときの前記散乱体と前記複数の第２のマークとの距離に応じて検出される信号の値を第１の信号値として保持する第１の保持部と、前記検出部によって前記散乱体が前記第１のマークを通過したことが検出された後、前記散乱体が前記複数の第３のマークを通過したときの前記散乱体と前記複数の第３のマークとの距離に応じて検出される信号の値を第２の信号値として保持する第２の保持部と、前記第１の信号値と前記第２の信号値との差をトラッキング信号として算出するトラッキング信号算出部とを備える。
【０２０４】
なお、発明を実施するための形態の項においてなされた具体的な実施態様または実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０２０５】
本発明にかかる情報記録媒体、トラッキング方法及び光情報装置は、光の回折限界より狭いトラック間隔のトラックに安定にトラッキングを行うことができ、高密度の情報記録媒体、メモリ又は映像記録用媒体等として有用である。また、本発明にかかる情報記録媒体、トラッキング方法及び光情報装置は、プローブ顕微鏡のスキャン位置決め等の用途にも応用できる。
【図１】
2012140867.tif 000003
【図２】
2012140867.tif 000004
【図３】
2012140867.tif 000005
【図４】
2012140867.tif 000006
【図５】
2012140867.tif 000007
【図６】
2012140867.tif 000008
【図７】
2012140867.tif 000009
【図８】
2012140867.tif 000010
【図９】
2012140867.tif 000011
【図１０】
2012140867.tif 000012
【図１１】
2012140867.tif 000013
【図１２】
2012140867.tif 000014
【図１３】
2012140867.tif 000015
【図１４】
2012140867.tif 000016
【図１５】
2012140867.tif 000017
【図１６】
2012140867.tif 000018
【図１７】
2012140867.tif 000019
【図１８】
2012140867.tif 000020
【図１９】
2012140867.tif 000021
【図２０】
2012140867.tif 000022
【図２１】
2012140867.tif 000023
【図２２】
2012140867.tif 000024
【図２３】
2012140867.tif 000025
【図２４】
2012140867.tif 000026
【図２５】
2012140867.tif 000027
【図２６】
2012140867.tif 000028
【図２７】
2012140867.tif 000029
【図２８】
2012140867.tif 000030
【図２９】
2012140867.tif 000031
【図３０】
2012140867.tif 000032
【図３１】
2012140867.tif 000033
【図３２】
2012140867.tif 000034
【図３３】
2012140867.tif 000035
【図３４】
2012140867.tif 000036
【図３５】
2012140867.tif 000037
【図３６】
2012140867.tif 000038
【図３７】
2012140867.tif 000039
【図３８】
2012140867.tif 000040
【図３９】
2012140867.tif 000041
【図４０】
2012140867.tif 000042
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
（削除）
【請求項２】
トラックの中心に配置された第１のマークと、
前記トラックの中心からトラッキング方向へ所定距離Δだけ離れた位置にエッジを有するように配置された第２のマークと、
前記トラックの中心から前記第２のマークとは反対側のトラッキング方向へ前記所定距離Δだけ離れた位置にエッジを有するように配置された第３のマークとを備え、
前記第２のマーク及び前記第３のマークのトラッキング方向の幅は、トラック間隔より大きく、
前記第２のマーク及び前記第３のマークは、光情報装置に設けられた散乱体に光が照射されることにより、前記散乱体と各マークのエッジとの距離に応じた散乱光を発生させ、
前記所定距離Δは、５０ｎｍより小さく、
前記第２のマーク及び前記第３のマークは、複数のトラックを跨いで配置され、
前記第２のマークのトラック方向の一方のエッジと、前記第２のマークのトラック方向の他方のエッジとは、それぞれ異なるトラックの中心からトラッキング方向へ所定距離Δだけ離れており、
前記第３のマークのトラック方向の一方のエッジと、前記第３のマークのトラック方向の他方のエッジとは、それぞれ異なるトラックの中心からトラッキング方向へ所定距離Δだけ離れていることを特徴とする情報記録媒体。
【請求項３】
前記第２のマーク及び前記第３のマークは、前記第１のマークからの距離に応じて複数のグループに分類され、
同一グループに属する前記第２のマーク及び前記第３のマークは、所定の周期で繰り返し配置されることを特徴とする請求項２記載の情報記録媒体。
【請求項４】
自己組織化法により作製され、情報を記録するための記録マークをさらに備えることを特徴とする請求項２又は３記載の情報記録媒体。
【請求項５】
前記第２のマーク又は前記第３のマークは、前記記録マークが前記自己組織化法により作製される際に前記記録マークをガイドし、前記記録マークの配列を規制することを特徴とする請求項２〜４のいずれかに記載の情報記録媒体。
【請求項６】
トラックの中心に配置され、自己組織化法により作製され、情報を記録するための記録マークと、
前記記録マークが前記自己組織化法により作製される際に前記記録マークが所定の位置に配列されるように規制するガイドマークとを備え、
前記ガイドマークは、前記記録マークが配置されるデータ領域側に自己組織化の配列を規制するための第１の屈曲部と、前記データ領域側とは反対側に前記第１の屈曲部と対になる第２の屈曲部とを有し、
前記第１の屈曲部は、前記トラックの中心からトラッキング方向へ所定距離Δだけ離れた位置に配置され、
前記第２の屈曲部は、前記トラック中心から前記第１の屈曲部とは反対側のトラッキング方向へ前記所定距離Δだけ離れた位置に配置され、
前記第１の屈曲部及び前記第２の屈曲部は、光情報装置に設けられた散乱体に光が照射されることにより、前記散乱体と各屈曲部との距離に応じた散乱光を発生させ、
前記所定距離Δは、５０ｎｍより小さく、
前記ガイドマークは、第１のガイドマークと、トラックに沿った方向に前記第１のガイドマークに並列に配置される第２のガイドマークとを含み、
前記第１のガイドマークが有する前記第１の屈曲部と、前記第２のガイドマークが有する前記第１の屈曲部とは、トラック間隔だけ離れており、
前記第１のガイドマークが有する前記第２の屈曲部と、前記第２のガイドマークが有する前記第２の屈曲部とは、トラック間隔だけ離れていることを特徴とする情報記録媒体。
【請求項７】
（削除）
【請求項８】
トラックの中心に配置された第１のマークと、
前記トラックの中心からトラッキング方向へ所定距離ｂ１だけ離れ、前記トラックに沿った方向へＡＣ信号の振幅が検出可能な所定の間隔で連続して配置された複数の第２のマークと、
前記トラックの中心から前記複数の第２のマークとは反対側のトラッキング方向へ所定距離ｂ２だけ離れ、前記トラックに沿った方向へ前記複数の第２のマークと同じ間隔で連続して配置された複数の第３のマークとを備え、
前記複数の第２のマーク及び前記複数の第３のマークは、光情報装置に設けられた散乱体に光が照射されることにより、前記散乱体と各マークとの距離に応じた散乱光を発生させ、
前記所定距離ｂ１及び前記所定距離ｂ２は、５０ｎｍより小さいことを特徴とする情報記録媒体。
【請求項９】
前記散乱体は、金属で形成されることを特徴とする請求項２〜６，８のいずれかに記載の情報記録媒体。
【請求項１０】
前記散乱体の形状は、球形状を含むことを特徴とする請求項２〜６，８，９のいずれかに記載の情報記録媒体。
【請求項１１】
前記散乱体の形状は、円柱形状を含むことを特徴とする請求項２〜６，８，９のいずれかに記載の情報記録媒体。
【請求項１２】
前記散乱体の形状は、三角錐形状を含むことを特徴とする請求項２〜６，８，９のいずれかに記載の情報記録媒体。
【請求項１３】
前記散乱体の形状は、三角柱形状を含むことを特徴とする請求項２〜６，８，９のいずれかに記載の情報記録媒体。
【請求項１４】
前記散乱体の形状は、円錐形状を含むことを特徴とする請求項２〜６，８，９のいずれかに記載の情報記録媒体。
【請求項１５】
（削除）
【請求項１６】
（削除）
【請求項１７】
（削除）
【請求項１８】
情報記録媒体に情報を記録又は再生する光情報装置におけるトラッキング方法であって、
前記情報記録媒体は、
トラックの中心に配置された第１のマークと、
前記トラックの中心からトラッキング方向へ所定距離Δだけ離れ、前記第１のマークから前記トラックに沿った方向へ所定距離Ｌ１だけ離れた位置にエッジを有するように配置された第２のマークと、
前記トラックの中心から前記第２のマークとは反対側のトラッキング方向へ前記所定距離Δだけ離れ、前記第１のマークから前記トラックに沿った方向へ所定距離Ｌ２だけ離れた位置にエッジを有するように配置された第３のマークとを備え、
前記第２のマーク及び前記第３のマークのトラッキング方向の幅は、トラック間隔より大きく、
前記第２のマーク及び前記第３のマークは、光情報装置に設けられた散乱体に光が照射されることにより、前記散乱体と各マークのエッジとの距離に応じた散乱光を発生させ、
前記所定距離Δは、５０ｎｍより小さく、
前記第２のマーク及び前記第３のマークは、複数のトラックを跨いで配置され、
前記第２のマークのトラック方向の一方のエッジと、前記第２のマークのトラック方向の他方のエッジとは、それぞれ異なるトラックの中心からトラッキング方向へ所定距離Δだけ離れており、
前記第３のマークのトラック方向の一方のエッジと、前記第３のマークのトラック方向の他方のエッジとは、それぞれ異なるトラックの中心からトラッキング方向へ所定距離Δだけ離れており、
前記トラッキング方法は、
前記散乱体を前記トラックに沿った方向へ所定の相対速度ｖで移動させる移動ステップと、
前記散乱体が前記第１のマークを通過したことを検出する検出ステップと、
前記検出ステップにおいて前記散乱体が前記第１のマークを通過したことが検出されてから、前記散乱体が前記第２のマークを通過するまでの第１の時刻ｔ１＝Ｌ１／ｖにおいて前記散乱体と前記第２のマークとの距離に応じて検出される信号の値を第１の信号値として保持する第１の保持ステップと、
前記検出ステップにおいて前記散乱体が前記第１のマークを通過したことが検出されてから、前記散乱体が前記第３のマークを通過するまでの第２の時刻ｔ２＝Ｌ２／ｖにおいて前記散乱体と前記第３のマークとの距離に応じて検出される信号の値を第２の信号値として保持する第２の保持ステップと、
前記第１の信号値と前記第２の信号値との差をトラッキング信号として算出するトラッキング信号算出ステップとを含むことを特徴とするトラッキング方法。
【請求項１９】
情報記録媒体に情報を記録又は再生する光情報装置であって、
前記情報記録媒体は、
トラックの中心に配置された第１のマークと、
前記トラックの中心からトラッキング方向へ所定距離Δだけ離れ、前記第１のマークから前記トラックに沿った方向へ所定距離Ｌ１だけ離れた位置にエッジを有するように配置された第２のマークと、
前記トラックの中心から前記第２のマークとは反対側のトラッキング方向へ前記所定距離Δだけ離れ、前記第１のマークから前記トラックに沿った方向へ所定距離Ｌ２だけ離れた位置にエッジを有するように配置された第３のマークとを備え、
前記第２のマーク及び前記第３のマークのトラッキング方向の幅は、トラック間隔より大きく、
前記第２のマーク及び前記第３のマークは、光情報装置に設けられた散乱体に光が照射されることにより、前記散乱体と各マークのエッジとの距離に応じた散乱光を発生させ、
前記所定距離Δは、５０ｎｍより小さく、
前記第２のマーク及び前記第３のマークは、複数のトラックを跨いで配置され、
前記第２のマークのトラック方向の一方のエッジと、前記第２のマークのトラック方向の他方のエッジとは、それぞれ異なるトラックの中心からトラッキング方向へ所定距離Δだけ離れており、
前記第３のマークのトラック方向の一方のエッジと、前記第３のマークのトラック方向の他方のエッジとは、それぞれ異なるトラックの中心からトラッキング方向へ所定距離Δだけ離れており、
前記光情報装置は、
前記散乱体を前記トラックに沿った方向へ所定の相対速度ｖで移動させる移動部と、
前記散乱体が前記第１のマークを通過したことを検出する検出部と、
前記検出部によって前記散乱体が前記第１のマークを通過したことが検出されてから、前記散乱体が前記第２のマークを通過するまでの第１の時刻ｔ１＝Ｌ１／ｖにおいて前記散乱体と前記第２のマークとの距離に応じて検出される信号の値を第１の信号値として保持する第１の保持部と、
前記検出部によって前記散乱体が前記第１のマークを通過したことが検出されてから、前記散乱体が前記第３のマークを通過するまでの第２の時刻ｔ２＝Ｌ２／ｖにおいて前記散乱体と前記第３のマークとの距離に応じて検出される信号の値を第２の信号値として保持する第２の保持部と、
前記第１の信号値と前記第２の信号値との差をトラッキング信号として算出するトラッキング信号算出部とを備えることを特徴とする光情報装置。
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
トラックの中心に配置された第１のマークと、
前記トラックの中心からトラッキング方向へ所定距離Δだけ離れた位置にエッジを有するように配置された第２のマークと、
前記トラックの中心から前記第２のマークとは反対側のトラッキング方向へ前記所定距離Δだけ離れた位置にエッジを有するように配置された第３のマークとを備え、
前記第２のマーク及び前記第３のマークのトラッキング方向の幅は、トラック間隔より大きく、
前記第２のマーク及び前記第３のマークは、光情報装置に設けられた散乱体に光が照射されることにより、前記散乱体と各マークのエッジとの距離に応じた散乱光を発生させ、
前記所定距離Δは、５０ｎｍより小さく、
前記第２のマーク及び前記第３のマークは、複数のトラックを跨いで配置され、
前記第２のマークのトラッキング方向の一方のエッジと、前記第２のマークのトラッキング方向の他方のエッジとは、それぞれ異なるトラックの中心からトラッキング方向へ所定距離Δだけ離れており、
前記第３のマークのトラッキング方向の一方のエッジと、前記第３のマークのトラッキング方向の他方のエッジとは、それぞれ異なるトラックの中心からトラッキング方向へ所定距離Δだけ離れていることを特徴とする情報記録媒体。
【請求項２】
前記第２のマーク及び前記第３のマークは、前記第１のマークからの距離に応じて複数のグループに分類され、
同一グループに属する前記第２のマーク及び前記第３のマークは、所定の周期で繰り返し配置されることを特徴とする請求項１記載の情報記録媒体。
【請求項３】
自己組織化法により作製され、情報を記録するための記録マークをさらに備えることを特徴とする請求項１又は２記載の情報記録媒体。
【請求項４】
前記第２のマーク又は前記第３のマークは、前記記録マークが前記自己組織化法により作製される際に前記記録マークをガイドし、前記記録マークの配列を規制することを特徴とする請求項１〜３のいずれかに記載の情報記録媒体。
【請求項５】
トラックの中心に配置され、自己組織化法により作製され、情報を記録するための記録マークと、
前記記録マークが前記自己組織化法により作製される際に前記記録マークが所定の位置に配列されるように規制するガイドマークとを備え、
前記ガイドマークは、前記記録マークが配置されるデータ領域側に自己組織化の配列を規制するための第１の屈曲部と、前記データ領域側とは反対側に前記第１の屈曲部と対になる第２の屈曲部とを有し、
前記第１の屈曲部は、前記トラックの中心からトラッキング方向へ所定距離Δだけ離れた位置に配置され、
前記第２の屈曲部は、前記トラック中心から前記第１の屈曲部とは反対側のトラッキング方向へ前記所定距離Δだけ離れた位置に配置され、
前記第１の屈曲部及び前記第２の屈曲部は、光情報装置に設けられた散乱体に光が照射されることにより、前記散乱体と各屈曲部との距離に応じた散乱光を発生させ、
前記所定距離Δは、５０ｎｍより小さく、
前記ガイドマークは、第１のガイドマークと、トラックに沿った方向に前記第１のガイドマークに並列に配置される第２のガイドマークとを含み、
前記第１のガイドマークが有する前記第１の屈曲部と、前記第２のガイドマークが有する前記第１の屈曲部とは、トラック間隔だけ離れており、
前記第１のガイドマークが有する前記第２の屈曲部と、前記第２のガイドマークが有する前記第２の屈曲部とは、トラック間隔だけ離れていることを特徴とする情報記録媒体。
【請求項６】
トラックの中心に配置された第１のマークと、
前記トラックの中心からトラッキング方向へ所定距離ｂ１だけ離れ、前記トラックに沿った方向へＡＣ信号の振幅が検出可能な所定の間隔で連続して配置された複数の第２のマークと、
前記トラックの中心から前記複数の第２のマークとは反対側のトラッキング方向へ所定距離ｂ２だけ離れ、前記トラックに沿った方向へ前記複数の第２のマークと同じ間隔で連続して配置された複数の第３のマークとを備え、
前記複数の第２のマーク及び前記複数の第３のマークは、光情報装置に設けられた散乱体に光が照射されることにより、前記散乱体と各マークとの距離に応じた散乱光を発生させ、
前記所定距離ｂ１及び前記所定距離ｂ２は、５０ｎｍより小さいことを特徴とする情報記録媒体。
【請求項７】
前記散乱体は、金属で形成されることを特徴とする請求項１〜６のいずれかに記載の情報記録媒体。
【請求項８】
前記散乱体の形状は、球形状を含むことを特徴とする請求項１〜７のいずれかに記載の情報記録媒体。
【請求項９】
前記散乱体の形状は、円柱形状を含むことを特徴とする請求項１〜７のいずれかに記載の情報記録媒体。
【請求項１０】
前記散乱体の形状は、三角錐形状を含むことを特徴とする請求項１〜７のいずれかに記載の情報記録媒体。
【請求項１１】
前記散乱体の形状は、三角柱形状を含むことを特徴とする請求項１〜７のいずれかに記載の情報記録媒体。
【請求項１２】
前記散乱体の形状は、円錐形状を含むことを特徴とする請求項１〜７のいずれかに記載の情報記録媒体。
【請求項１３】
情報記録媒体に情報を記録又は再生する光情報装置におけるトラッキング方法であって、
前記情報記録媒体は、
トラックの中心に配置された第１のマークと、
前記トラックの中心からトラッキング方向へ所定距離Δだけ離れた位置にエッジを有するように配置された第２のマークと、
前記トラックの中心から前記第２のマークとは反対側のトラッキング方向へ前記所定距離Δだけ離れた位置にエッジを有するように配置された第３のマークとを備え、
前記第２のマーク及び前記第３のマークのトラッキング方向の幅は、トラック間隔より大きく、
前記第２のマーク及び前記第３のマークは、光情報装置に設けられた散乱体に光が照射されることにより、前記散乱体と各マークのエッジとの距離に応じた散乱光を発生させ、
前記所定距離Δは、５０ｎｍより小さく、
前記第２のマーク及び前記第３のマークは、複数のトラックを跨いで配置され、
前記第２のマークのトラッキング方向の一方のエッジと、前記第２のマークのトラッキング方向の他方のエッジとは、それぞれ異なるトラックの中心からトラッキング方向へ所定距離Δだけ離れており、
前記第３のマークのトラッキング方向の一方のエッジと、前記第３のマークのトラッキング方向の他方のエッジとは、それぞれ異なるトラックの中心からトラッキング方向へ所定距離Δだけ離れており、
前記トラッキング方法は、
前記散乱体を前記トラックに沿った方向へ所定の相対速度ｖで移動させる移動ステップと、
前記散乱体が前記第１のマークを通過したことを検出する検出ステップと、
前記検出ステップにおいて前記散乱体が前記第１のマークを通過したことが検出されてから、前記散乱体が前記第２のマークを通過するまでの第１の時刻ｔ１＝Ｌ１／ｖにおいて前記散乱体と前記第２のマークとの距離に応じて検出される信号の値を第１の信号値として保持する第１の保持ステップと、
前記検出ステップにおいて前記散乱体が前記第１のマークを通過したことが検出されてから、前記散乱体が前記第３のマークを通過するまでの第２の時刻ｔ２＝Ｌ２／ｖにおいて前記散乱体と前記第３のマークとの距離に応じて検出される信号の値を第２の信号値として保持する第２の保持ステップと、
前記第１の信号値と前記第２の信号値との差をトラッキング信号として算出するトラッキング信号算出ステップとを含むことを特徴とするトラッキング方法。
【請求項１４】
情報記録媒体に情報を記録又は再生する光情報装置であって、
前記情報記録媒体は、
トラックの中心に配置された第１のマークと、
前記トラックの中心からトラッキング方向へ所定距離Δだけ離れた位置にエッジを有するように配置された第２のマークと、
前記トラックの中心から前記第２のマークとは反対側のトラッキング方向へ前記所定距離Δだけ離れた位置にエッジを有するように配置された第３のマークとを備え、
前記第２のマーク及び前記第３のマークのトラッキング方向の幅は、トラック間隔より大きく、
前記第２のマーク及び前記第３のマークは、光情報装置に設けられた散乱体に光が照射されることにより、前記散乱体と各マークのエッジとの距離に応じた散乱光を発生させ、
前記所定距離Δは、５０ｎｍより小さく、
前記第２のマーク及び前記第３のマークは、複数のトラックを跨いで配置され、
前記第２のマークのトラッキング方向の一方のエッジと、前記第２のマークのトラッキング方向の他方のエッジとは、それぞれ異なるトラックの中心からトラッキング方向へ所定距離Δだけ離れており、
前記第３のマークのトラッキング方向の一方のエッジと、前記第３のマークのトラッキング方向の他方のエッジとは、それぞれ異なるトラックの中心からトラッキング方向へ所定距離Δだけ離れており、
前記光情報装置は、
前記散乱体を前記トラックに沿った方向へ所定の相対速度ｖで移動させる移動部と、
前記散乱体が前記第１のマークを通過したことを検出する検出部と、
前記検出部によって前記散乱体が前記第１のマークを通過したことが検出されてから、前記散乱体が前記第２のマークを通過するまでの第１の時刻ｔ１＝Ｌ１／ｖにおいて前記散乱体と前記第２のマークとの距離に応じて検出される信号の値を第１の信号値として保持する第１の保持部と、
前記検出部によって前記散乱体が前記第１のマークを通過したことが検出されてから、前記散乱体が前記第３のマークを通過するまでの第２の時刻ｔ２＝Ｌ２／ｖにおいて前記散乱体と前記第３のマークとの距離に応じて検出される信号の値を第２の信号値として保持する第２の保持部と、
前記第１の信号値と前記第２の信号値との差をトラッキング信号として算出するトラッキング信号算出部とを備えることを特徴とする光情報装置。
【国際調査報告】
2012140867.tif 000043
2012140867.tif 000044
2012140867.tif 000045
2012140867.tif 000046